(57)【要約】  測位参照信号構成のための方法が、ネットワークノードから、第１の測位参照信号構成における１つまたは複数の第１のＰＲＳを受信することと、１つまたは複数の第１のＰＲＳの１つまたは複数の第１の特性を決定するために、第１のＰＲＳに対して１つまたは複数の第１の測定を実施することと、ネットワークノードに、１つまたは複数の第１の特性に基づいて決定された第２のＰＲＳ構成を送出することと、ネットワークノードから、第３のＰＲＳ構成を受信することであって、第３のＰＲＳ構成が、第１のＰＲＳの１つまたは複数の第１の特性と比べて、少なくとも１つの異なる信号特性を有する１つまたは複数の第３のＰＲＳを含む、第３のＰＲＳ構成を受信することと、１つまたは複数の第３のＰＲＳに対して１つまたは複数の第２の測定を実施することとを含む。本方法は、ＵＥおよびロケーションノードからのフィードバック、ビームフォーミング構成、または物理レイヤについての任意の要件に基づいて、ＰＲＳのための動的構成を効率的に提供する。【選択図】図９
2021533615.tif 000002
【特許請求の範囲】
【請求項１】
測位参照信号構成のための方法（２４００）であって、
ネットワークノードから、第１の測位参照信号（ＰＲＳ）構成における１つまたは複数の第１のＰＲＳを受信すること（２４１０）と、
前記１つまたは複数の第１のＰＲＳの１つまたは複数の第１の特性を決定するために、前記１つまたは複数の第１のＰＲＳに対して１つまたは複数の第１の測定を実施すること（２４２０）と、
前記ネットワークノードに、前記１つまたは複数の第１のＰＲＳの前記１つまたは複数の第１の特性に基づいて決定された１つまたは複数の第２のＰＲＳを含む第２のＰＲＳ構成を送出すること（２４３０）と、
前記ネットワークノードから、第３のＰＲＳ構成を受信すること（２４４０）であって、前記第３のＰＲＳ構成が、前記第１のＰＲＳの前記１つまたは複数の第１の特性と比べて、少なくとも１つの異なる信号特性を有する１つまたは複数の第３のＰＲＳを含む、第３のＰＲＳ構成を受信すること（２４４０）と、
前記１つまたは複数の第３のＰＲＳに対して１つまたは複数の第２の測定を実施すること（２４５０）と
を含む、方法（２４００）。
【請求項２】
前記１つまたは複数の第１の測定と前記１つまたは複数の第２の測定とが、前記１つまたは複数の第１のＰＲＳと前記１つまたは複数の第３のＰＲＳとについての１つまたは複数の到達時間の推定を含む、請求項１に記載の方法（２４００）。
【請求項３】
前記第３のＰＲＳ構成が、ブロードキャスト、マルチキャスト、または専用シグナリングを介して、あるいはオンデマンドシステム情報ブロードキャストを介して受信される、請求項１または２に記載の方法（２４００）。
【請求項４】
前記第２のＰＲＳ構成に基づいて前記１つまたは複数の第３のＰＲＳの１つまたは複数の第３の特性を決定することをさらに含む、請求項１から３のいずれか一項に記載の方法（２４００）。
【請求項５】
前記ネットワークノードに要求メッセージを送出することであって、前記要求メッセージが、送信における１つまたは複数のサブフレームのために構成される追加のＰＲＳについての要求を含む、要求メッセージを送出することと、
前記ネットワークノードから、前記第３のＰＲＳ構成に基づいて決定された前記追加のＰＲＳを受信することと
をさらに含む、請求項１から４のいずれか一項に記載の方法（２４００）。
【請求項６】
前記追加のＰＲＳが、他のＰＲＳとの重複を回避するように帯域幅を割り当てられる、請求項５に記載の方法（２４００）。
【請求項７】
前記ネットワークノードが、基地局またはロケーションノードである、請求項１から６のいずれか一項に記載の方法（２４００）。
【請求項８】
測位参照信号構成のための方法（２５００）であって、
ユーザ機器（ＵＥ）に、１つまたは複数の第１の測位参照信号（ＰＲＳ）を含む１つまたは複数の第１のＰＲＳ構成を送出すること（２５１０）と、
前記ＵＥから、前記第１のＰＲＳ構成の前記１つまたは複数の第１のＰＲＳに基づいて決定された１つまたは複数の第２のＰＲＳを含む第２のＰＲＳ構成を受信すること（２５２０）と、
前記第２のＰＲＳ構成の前記１つまたは複数の第２のＰＲＳに対して測定のセットを実施すること（２５３０）と、
前記ＵＥに、第３のＰＲＳ構成を送出すること（２５４０）であって、前記第３のＰＲＳ構成が、前記第１のＰＲＳ構成の前記１つまたは複数の第１のＰＲＳと比べて、異なる信号特性を有する少なくとも１つのＰＲＳを含む、第３のＰＲＳ構成を送出すること（２５４０）と
を含む、方法（２５００）。
【請求項９】
前記実施するステップが、
前記１つまたは複数の第２のＰＲＳ中の１つまたは複数の相互相関係数を受信することと、
測定の前記セットからのしきい値よりも高い１つまたは複数の相互相関係数に関係する１つまたは複数の測定を優先することと、
測定の前記セットからの前記しきい値よりも低い１つまたは複数の相互相関係数に関係する１つまたは複数の測定を廃棄することと
を含む、請求項８に記載の方法（２５００）。
【請求項１０】
前記実施するステップが、前記第３のＰＲＳ構成のための帯域幅を割り当てることを含む、請求項８または９に記載の方法（２５００）。
【請求項１１】
前記帯域幅が、干渉するネイバリングセルからの重複を最小限に抑えるように割り当てられる、請求項１０に記載の方法（２５００）。
【請求項１２】
前記帯域幅が、他のＰＲＳとの時間および周波数における重複を回避するように割り当てられる、請求項１０に記載の方法（２５００）。
【請求項１３】
前記第２のＰＲＳ構成が、ブロードキャスト、マルチキャスト、または専用シグナリングを介して、あるいはオンデマンドシステム情報ブロードキャストを介して受信される、請求項１０から１２のいずれか一項に記載の方法（２５００）。
【請求項１４】
前記実施するステップが、
しきい値よりも高い１つまたは複数の相互相関係数を有するセルを識別することと、
前記識別されたセルに帯域幅を割り当てることと
を含む、請求項１０から１３のいずれか一項に記載の方法（２５００）。
【請求項１５】
ネットワークノードが、基地局またはロケーションノードである、請求項１０から１４のいずれか一項に記載の方法（２５００）。
【請求項１６】
測位参照信号構成のためのユーザ機器（１１００）であって、
少なくとも１つの処理回路（１１０１）と、
プロセッサ実行可能命令を記憶する、少なくとも１つのストレージ（１１１５）であって、前記プロセッサ実行可能命令は、前記処理回路によって実行されたとき、ユーザ機器（１１００）に、
ネットワークノードから、第１の測位参照信号（ＰＲＳ）構成における１つまたは複数の第１のＰＲＳを受信すること（２４１０）と、
前記１つまたは複数の第１のＰＲＳの１つまたは複数の第１の特性を決定するために、前記１つまたは複数の第１のＰＲＳに対して１つまたは複数の第１の測定を実施すること（２４２０）と、
前記ネットワークノードに、前記１つまたは複数の第１のＰＲＳの前記１つまたは複数の第１の特性に基づいて決定された１つまたは複数の第２のＰＲＳを含む第２のＰＲＳ構成を送出すること（２４３０）と、
前記ネットワークノードから、第３のＰＲＳ構成を受信すること（２４４０）であって、前記第３のＰＲＳ構成が、前記第１のＰＲＳの前記１つまたは複数の第１の特性と比べて、少なくとも１つの異なる信号特性を有する１つまたは複数の第３のＰＲＳを含む、第３のＰＲＳ構成を受信すること（２４４０）と、
前記１つまたは複数の第３のＰＲＳに対して１つまたは複数の第２の測定を実施すること（２４５０）と
を行わせる、少なくとも１つのストレージ（１１１５）と
を備える、ユーザ機器（１１００）。
【請求項１７】
前記１つまたは複数の第１の測定と前記１つまたは複数の第２の測定とが、前記１つまたは複数の第１のＰＲＳと前記１つまたは複数の第３のＰＲＳとについての１つまたは複数の到達時間の推定を含む、請求項１６に記載のユーザ機器（１１００）。
【請求項１８】
前記第３のＰＲＳ構成が、ブロードキャスト、マルチキャスト、または専用シグナリングを介して、あるいはオンデマンドシステム情報ブロードキャストを介して受信される、請求項１６または１７に記載のユーザ機器（１１００）。
【請求項１９】
前記命令が、前記ＵＥ（１１００）に、前記第２のＰＲＳ構成に基づいて前記１つまたは複数の第３のＰＲＳの１つまたは複数の第３の特性を決定することをさらに行わせる、請求項１６から１８のいずれか一項に記載のユーザ機器（１１００）。
【請求項２０】
前記命令は、前記ＵＥ（１１００）に、
前記ネットワークノードに要求メッセージを送出することであって、前記要求メッセージが、送信における１つまたは複数のサブフレームのために構成される追加のＰＲＳについての要求を含む、要求メッセージを送出することと、
前記ネットワークノードから、前記第３のＰＲＳ構成に基づいて決定された前記追加のＰＲＳを受信することと
をさらに行わせる、請求項１６から１９のいずれか一項に記載のユーザ機器（１１００）。
【請求項２１】
前記追加のＰＲＳが、他のＰＲＳとの重複を回避するように帯域幅を割り当てられる、請求項２０に記載のユーザ機器（１１００）。
【請求項２２】
前記ネットワークノードが、基地局またはロケーションノードである、請求項１６から２１のいずれか一項に記載のユーザ機器（１１００）。
【請求項２３】
測位参照信号構成のためのネットワークノード（１０６０）であって、
少なくとも１つの処理回路（１０７０）と、
プロセッサ実行可能命令を記憶する、少なくとも１つのストレージであって、前記プロセッサ実行可能命令は、前記処理回路によって実行されたとき、ネットワークノード（１０６０）に、
ユーザ機器（ＵＥ）に、１つまたは複数の第１の測位参照信号（ＰＲＳ）を含む１つまたは複数の第１のＰＲＳ構成を送出すること（２５１０）と、
前記ＵＥから、前記第１のＰＲＳ構成の前記第１のＰＲＳに基づいて決定された１つまたは複数の第２のＰＲＳを含む第２のＰＲＳ構成を受信すること（２５２０）と、
前記第２のＰＲＳ構成の前記１つまたは複数の第２のＰＲＳに対して測定のセットを実施すること（２５３０）と、
前記ＵＥに、第３のＰＲＳ構成を送出すること（２５４０）であって、前記第３のＰＲＳ構成が、前記第１のＰＲＳ構成の前記１つまたは複数の第１のＰＲＳと比べて、異なる信号特性を有する少なくとも１つのＰＲＳを含む、第３のＰＲＳ構成を送出すること（２５４０）と
を行わせる、少なくとも１つのストレージと
を備える、ネットワークノード（１０６０）。
【請求項２４】
前記実施するステップが、
前記１つまたは複数の第２のＰＲＳ中の１つまたは複数の相互相関係数を受信することと、
測定の前記セットからのしきい値よりも高い１つまたは複数の相互相関係数に関係する１つまたは複数の測定を優先することと、
測定の前記セットからの前記しきい値よりも低い１つまたは複数の相互相関係数に関係する１つまたは複数の測定を廃棄することと
を含む、請求項２３に記載のネットワークノード（１０６０）。
【請求項２５】
前記実施するステップが、前記第３のＰＲＳ構成のための帯域幅を割り当てることを含む、請求項２３または２４に記載のネットワークノード（１０６０）。
【請求項２６】
前記帯域幅が、干渉するネイバリングセルからの重複を最小限に抑えるように割り当てられる、請求項２５に記載のネットワークノード（１０６０）。
【請求項２７】
前記帯域幅が、他のＰＲＳとの時間および周波数における重複を回避するように割り当てられる、請求項２５に記載のネットワークノード（１０６０）。
【請求項２８】
前記第２のＰＲＳ構成が、ブロードキャスト、マルチキャスト、または専用シグナリングを介して、あるいはオンデマンドシステム情報ブロードキャストを介して受信される、請求項２３から２７のいずれか一項に記載のネットワークノード（１０６０）。
【請求項２９】
前記実施するステップが、
しきい値よりも高い１つまたは複数の相互相関係数を有するセルを識別することと、
前記識別されたセルに帯域幅を割り当てることと
を含む、請求項２３から２８のいずれか一項に記載のネットワークノード（１０６０）。
【請求項３０】
前記ネットワークノードが、基地局またはロケーションノードである、請求項２３から２９のいずれか一項に記載のネットワークノード（１０６０）。
【発明の詳細な説明】
【技術分野】
【０００１】
特定の実施形態は、シグナリング構成の分野に関し、より詳細には、参照信号の動的構成のための方法および装置に関する。
【背景技術】
【０００２】
ＬＴＥでは、測位が、３ＧＰＰリリース９以来、規格化における主要なトピックであった。主目的は、緊急呼を測位するための規制要件を満たすことである。図１では、ＮＧ−ＲＡＮリリース１５ロケーションサービス（ＬＣＳ）プロトコルにおいて開示されるアーキテクチャによってサポートされるべき、新無線（Ｎｅｗ  Ｒａｄｉｏ：ＮＲ）における測位が提案される。図１では、ｇＮＢとｎｇ−ｅＮＢとが、常に両方とも存在するとは限らない。ｇＮＢとｎｇ−ｅＮＢの両方が存在するとき、それらのうちの１つのためにのみＮＧ−Ｃインターフェースが存在する。ＬＭＦは、ＮＲにおけるロケーションノードである。また、ＮＲＰＰａプロトコルを介する、ロケーションノードとｇノードＢとの間の対話がある。ｇノードＢとデバイスとの間の対話は、無線リソース制御（ＲＲＣ）プロトコルを介してサポートされる。
【０００３】
レガシーＬＴＥ規格では、以下の技法、拡張セルＩＤ、支援グローバルナビゲーション衛星システム（ＧＮＳＳ）、観測到達時間差（ＯＴＤＯＡ）、およびアップリンクＴＤＯＡ（ＵＴＤＯＡ）などがサポートされる。
【０００４】
拡張セルＩＤに関して、本質的に、デバイスをサービングセルのサービングエリアに関連付けるために、セルＩＤ情報が使用され、次いで、より細かいグラニュラリティ位置を決定するために、追加情報が使用される。
【０００５】
支援ＧＮＳＳに関して、エボルブドサービングモバイルロケーションセンタ（Ｅ−ＳＭＬＣ：ｅｖｏｌｖｅｄ  ｓｅｒｖｉｎｇ  ｍｏｂｉｌｅ  ｌｏｃａｔｉｏｎ  ｃｅｎｔｅｒ）からデバイスに提供された支援情報によってサポートされる、デバイスによって取り出されるＧＮＳＳ情報。
【０００６】
ＯＴＤＯＡに関して、デバイスは、異なる基地局からの参照信号の時間差を推定し、マルチラテレーションのためにＥ−ＳＭＬＣに送出する。
【０００７】
ＵＴＤＯＡに関して、デバイスは、知られている位置における複数のロケーション測定ユニット（たとえば、ｅＮＢ）によって検出された特定の波形を送信することを要求される。これらの測定は、マルチラテレーションのためにＥ−ＳＭＬＣにフォワーディングされる。
【０００８】
リリース１６について合意されたＮＲ測位研究項目によれば、３ＧＰＰ  ＮＲ無線技術は、一義的に、拡張ロケーション能力に関する付加価値を提供するように位置づけられている。低周波数帯域および高周波数帯域（すなわち、６ＧＨｚを下回るおよび６ＧＨｚを上回る）における動作と、大規模アンテナアレイの利用とが、測位正確さを大幅に改善するために追加の自由度を提供する。低帯域において、特に高帯域において広い信号帯域幅を使用する可能性が、ＵＥの位置を特定するためにタイミング測定を利用する、よく知られている測位技法ベースのＯＴＤＯＡおよびＵＴＤＯＡ、セルＩＤまたはＥセルＩＤなどについて、ユーザロケーションについての新しい性能限界をもたらす。大規模アンテナシステム（たとえば大規模ＭＩＭＯ）の最近の進歩が、時間測定と組み合わせて伝搬チャネルの空間領域および角度領域を活用することによって、より正確なユーザロケーションを可能にするための、追加の自由度を提供する。
【０００９】
アンテナポート６について３ＧＰＰリリース９測位参照信号（ＰＲＳ）が導入されたので、リリース８セル固有参照信号は測位のために十分でない。単純な理由は、検出の必要とされる高い確率が保証され得ないことである。信号対干渉雑音比（ＳＩＮＲ）が少なくとも−６ｄＢであるとき、ネイバーセルの同期信号（たとえば、１次同期信号および２次同期信号）と参照信号とをもつネイバーセルが検出可能と見なされる。規格化中のシミュレーションが、２番目に良い検出されたネイバリングセルについて示しており、これは、これが、３番目に良い検出されたネイバリングセルについてのすべてのケースの７０％についてのみ保証することができることを意味する。これは、十分でなく、現実世界のシナリオにおいて確保され得ない、干渉のない環境と仮定されている。しかしながら、ＰＲＳは、依然として、３ＧＰＰリリース８において規定されているセル固有参照信号とのいくつかの類似度を有する。それは、セル固有参照信号との衝突と制御チャネル（たとえばＰＤＣＣＨ）との重複とを回避するために、周波数および時間におけるシフトを伴う対角パターンでマッピングされている擬似ランダム４位相シフトキーイング（ＱＰＳＫ）シーケンスである。
【００１０】
現在、（１つまたは複数の）ある課題が存在する。たとえば、ＬＴＥでは、ＰＲＳ構成は、静的であり、ある環境必要に合わせて固有に調整され得ない。ＰＲＳ構成は、ユーザ固有にされ得ず、セル内でビーム固有にされ得ない。ＮＲへ前進するとき、ＰＲＳ構成を効率的に提供するために、異なる無線伝搬特性とＵＥ移動とを入力として引き受けることが望ましいことがある。
【発明の概要】
【００１１】
既存のソリューションに関する上記の問題に対処するために、参照信号のための動的構成を提供するための方法、ユーザ機器（ＵＥ）、およびネットワークノードが開示される。本開示は、ＵＥとネットワークノードとの間の測位参照信号（ＰＲＳ）の特性を含む情報エレメントを送出することによって、ＵＥ移動、ビームフォーミング構成、および他の物理的態様に対して適応的に、ＰＲＳを構成するためのソリューションを実装する。さらに、ネットワークノードは、ＰＲＳの特性に基づいて、更新された構成を決定する。ＰＲＳの受信された特性に対して測定を実施することによって、本明細書で開示される方法は、各ＵＥのためのカスタマイズされたＰＲＳ構成を提供し、したがって、リソースの利用を改善し得る。
【００１２】
本開示ではいくつかの実施形態が詳述される。ＰＲＳ構成のための方法の一実施形態によれば、本方法は、ネットワークノードから、第１のＰＲＳ構成における１つまたは複数の第１のＰＲＳを受信することを含む。本方法は、１つまたは複数の第１のＰＲＳの１つまたは複数の第１の特性を決定するために、１つまたは複数の第１のＰＲＳに対して１つまたは複数の第１の測定を実施することをさらに含む。本方法は、ネットワークノードに、１つまたは複数の第１のＰＲＳの１つまたは複数の第１の特性に基づいて決定された１つまたは複数の第２のＰＲＳを含む第２のＰＲＳ構成を送出することをさらに含む。本方法は、ネットワークノードから、第３のＰＲＳ構成を受信することをまたさらに含む。第３のＰＲＳ構成は、第１のＰＲＳの１つまたは複数の第１の特性と比べて、少なくとも１つの異なる信号特性を有する１つまたは複数の第３のＰＲＳを含む。本方法は、１つまたは複数の第３のＰＲＳに対して１つまたは複数の第２の測定を実施することをさらに含む。
【００１３】
一実施形態では、第１の測定と第２の測定とは、それぞれ、第１のＰＲＳと第３のＰＲＳとについての１つまたは複数の到達時間の推定を含む。
【００１４】
一実施形態では、第３のＰＲＳ構成は、ブロードキャスト、マルチキャスト、または専用シグナリングを介して、あるいはオンデマンドシステム情報ブロードキャストを介して受信される。
【００１５】
一実施形態では、本方法は、第２のＰＲＳ構成に基づいて１つまたは複数の第３のＰＲＳの１つまたは複数の第３の特性を決定することをさらに含む。
【００１６】
一実施形態では、本方法は、ネットワークノードに要求メッセージを送出することをさらに含む。要求メッセージは、送信における１つまたは複数のサブフレームのために構成される追加のＰＲＳについての要求を含む。本方法は、ネットワークノードから、第３のＰＲＳ構成に基づいて決定された追加のＰＲＳを受信することをさらに含む。一実施形態では、追加のＰＲＳは、他のＰＲＳとの重複を回避するように帯域幅を割り当てられる。
【００１７】
一実施形態では、ネットワークノードは、基地局またはロケーションノードである。
【００１８】
ＰＲＳ構成のための方法の別の実施形態によれば、本方法は、ＵＥに、１つまたは複数の第１のＰＲＳを含む１つまたは複数の第１のＰＲＳ構成を送出することを含む。本方法は、ＵＥから、第１のＰＲＳ構成の１つまたは複数の第１のＰＲＳに基づいて決定された１つまたは複数の第２のＰＲＳを含む第２のＰＲＳ構成を受信することをさらに含む。本方法は、第２のＰＲＳ構成の１つまたは複数の第２のＰＲＳに対して測定のセットを実施することをさらに含む。本方法は、ＵＥに、第３のＰＲＳ構成を送出することをさらに含む。第３のＰＲＳ構成は、第１のＰＲＳ構成の１つまたは複数の第１のＰＲＳと比べて、異なる信号特性を有する少なくとも１つのＰＲＳを含む。
【００１９】
一実施形態では、本方法は、１つまたは複数の第２のＰＲＳ中の１つまたは複数の相互相関係数を受信することと、測定のセットからのしきい値よりも高い１つまたは複数の相互相関係数に関係する１つまたは複数の測定を優先することとをさらに含む。別の実施形態では、本方法は、測定のセットからのしきい値よりも低い１つまたは複数の相互相関係数に関係する１つまたは複数の測定を廃棄することをさらに含む。
【００２０】
一実施形態では、本方法は、しきい値よりも高い１つまたは複数の相互相関係数を有するセルを識別することと、識別されたセルに帯域幅を割り当てることとをさらに含む。
【００２１】
一実施形態では、本方法は、第３のＰＲＳ構成のための帯域幅を割り当てることをさらに含む。一実施形態では、帯域幅は、干渉するネイバリングセルからの重複を最小限に抑えるように割り当てられる。別の実施形態では、帯域幅は、他のＰＲＳとの時間および周波数における重複を回避するように割り当てられる。
【００２２】
一実施形態では、第２のＰＲＳ構成は、ブロードキャスト、マルチキャスト、または専用シグナリングを介して、あるいはオンデマンドシステム情報ブロードキャストを介して受信される。
【００２３】
一実施形態では、ネットワークノードは、基地局またはロケーションノードである。
【００２４】
ＰＲＳ構成のためのＵＥの一実施形態によれば、ＵＥは、少なくとも１つの処理回路と、プロセッサ実行可能命令を記憶する少なくとも１つのストレージであって、プロセッサ実行可能命令は、処理回路によって実行されたとき、ＵＥに、ネットワークノードから、第１のＰＲＳ構成における１つまたは複数の第１のＰＲＳを受信することを行わせる、少なくとも１つのストレージとを備える。ＵＥは、さらに、１つまたは複数の第１のＰＲＳの１つまたは複数の第１の特性を決定するために、１つまたは複数の第１のＰＲＳに対して１つまたは複数の第１の測定を実施する。ＵＥは、さらに、ネットワークノードに、１つまたは複数の第１のＰＲＳの１つまたは複数の第１の特性に基づいて決定された１つまたは複数の第２のＰＲＳを含む第２のＰＲＳ構成を送出する。ＵＥは、またさらに、ネットワークノードから、第３のＰＲＳ構成を受信する。第３のＰＲＳ構成は、第１のＰＲＳの１つまたは複数の第１の特性と比べて、少なくとも１つの異なる信号特性を有する１つまたは複数の第３のＰＲＳを含む。ＵＥは、さらに、１つまたは複数の第３のＰＲＳに対して１つまたは複数の第２の測定を実施する。
【００２５】
ＰＲＳ構成のためのネットワークノードの一実施形態によれば、ネットワークノードは、少なくとも１つの処理回路と、プロセッサ実行可能命令を記憶する少なくとも１つのストレージであって、プロセッサ実行可能命令は、処理回路によって実行されたとき、ネットワークノードに、ＵＥに、１つまたは複数の第１のＰＲＳを含む１つまたは複数の第１のＰＲＳ構成を送出することを行わせる、少なくとも１つのストレージとを備える。ネットワークノードは、さらに、ＵＥから、第１のＰＲＳ構成の１つまたは複数の第１のＰＲＳに基づいて決定された１つまたは複数の第２のＰＲＳを含む第２のＰＲＳ構成を受信する。ネットワークノードは、さらに、第２のＰＲＳ構成の１つまたは複数の第２のＰＲＳに対して測定のセットを実施する。ネットワークノードは、さらに、ＵＥに、第３のＰＲＳ構成を送出する。第３のＰＲＳ構成は、第１のＰＲＳ構成の１つまたは複数の第１のＰＲＳと比べて、異なる信号特性を有する少なくとも１つのＰＲＳを含む。
【００２６】
本開示のいくつかの態様およびそれらの実施形態は、これらまたは他の課題のソリューションを提供し得る。本明細書で開示される問題点のうちの１つまたは複数に対処する様々な実施形態が、本明細書で提案される。
【００２７】
いくつかの実施形態は、以下の技術的利点のうちの１つまたは複数を提供し得る。本開示で開示される方法は、ロケーションノードまたは基地局が、ネイバリングセルに干渉するかまたは他のＰＲＳと重複する、帯域幅を割り振ることを回避するように、ＵＥの近くの環境とＵＥの移動とに基づいて各ＵＥのためのＰＲＳ構成をカスタマイズするための効率的なソリューションを提供し得る。したがって、特定の実施形態は、ネットワークにおけるリソースを効率的に利用し、次いで、さらに、ネットワークの性能を改善し得る。
【００２８】
以下の詳細な説明および図面に照らして、様々な他の特徴および利点が当業者に明らかになろう。いくつかの実施形態は、具陳された利点のいずれをも有しないか、いくつかを有するか、またはすべてを有し得る。
【００２９】
本明細書に組み込まれ、本明細書の一部をなす添付の図面は、本開示のいくつかの態様を示し、説明とともに本開示の原理について解説するように働く。
【図面の簡単な説明】
【００３０】
【図１】新無線における測位のための例示的なアーキテクチャのブロック図である。
【図２】いくつかの実施形態による、ロケーションノードおよび無線ノードにおいて実施される測位参照信号構成のための例示的な方法の流れ図である。
【図３】いくつかの実施形態による、ネットワークノードにおいて実施される測位参照信号構成のための例示的な方法の流れ図である。
【図４】いくつかの実施形態による、ネットワークノードにおいて実施される測位参照信号構成のための例示的な方法の流れ図である。
【図５】いくつかの実施形態による、例示的な帯域幅割り当てを示す図である。
【図６】いくつかの実施形態による、動的ＰＲＳ構成を決定するための例示的なプロシージャを示す図である。
【図７】いくつかの実施形態による、例示的なＰＲＳ割り当てを示す図である。
【図８】いくつかの実施形態による、例示的なＰＲＳパターンを示す図である。
【図９】いくつかの実施形態による、動的ＰＲＳ構成のための例示的なアーキテクチャの図である。
【図１０】いくつかの実施形態による、例示的な無線ネットワークを示す図である。
【図１１】いくつかの実施形態による、例示的なユーザ機器を示す図である。
【図１２】いくつかの実施形態による、例示的な仮想化環境を示す図である。
【図１３】いくつかの実施形態による、中間ネットワークを介してホストコンピュータに接続された例示的な通信ネットワークを示す図である。
【図１４】いくつかの実施形態による、部分的無線接続上で基地局を介してユーザ機器と通信する例示的なホストコンピュータを示す図である。
【図１５】いくつかの実施形態による、ホストコンピュータと、基地局と、ユーザ機器とを含む通信システムにおいて実装される例示的な方法を示す図である。
【図１６】いくつかの実施形態による、ホストコンピュータと、基地局と、ユーザ機器とを含む通信システムにおいて実装される別の例示的な方法を示す図である。
【図１７】いくつかの実施形態による、ホストコンピュータと、基地局と、ユーザ機器とを含む通信システムにおいて実装される別のさらなる例示的な方法を示す図である。
【図１８】いくつかの実施形態による、ホストコンピュータと、基地局と、ユーザ機器とを含む通信システムにおいて実装されるまた別の例示的な方法を示す図である。
【図１９】いくつかの実施形態による、ＵＥによって実施される例示的な方法の流れ図である。
【図２０】いくつかの実施形態による、ネットワークノードによって実施される例示的な方法の流れ図である。
【図２１】いくつかの実施形態による、無線ネットワークノードによって実施される例示的な方法の流れ図である。
【図２２】いくつかの実施形態による、ロケーションネットワークノードによって実施される例示的な方法の流れ図である。
【図２３】いくつかの実施形態による、例示的なＵＥおよび例示的なネットワークノードを示す図である。
【図２４】いくつかの実施形態による、ユーザ機器において実施される例示的な方法の流れ図である。
【図２５】いくつかの実施形態による、ネットワークノードにおいて実施される例示的な方法の流れ図である。
【図２６】いくつかの実施形態による、例示的なユーザ機器および例示的なネットワークノードのブロック概略図である。
【図２７】いくつかの実施形態による、例示的なネットワークノードのブロック概略図である。
【発明を実施するための形態】
【００３１】
レガシーＬＴＥ規格化における測位参照信号（ＰＲＳ）は、正確な測位を提供するのに十分でない。干渉を検出することの高い要件、およびネイバリングセルのための不十分なリソースにより、ユーザ機器（ＵＥ）はしばしば、他の参照信号と衝突するかまたはネイバリングセルによって干渉され得る、ＰＲＳを含むＰＲＳ構成を提供される。本開示の特定の実施形態は、ロケーションノードへのフィードバックをアップデートすることによって、ＵＥに動的ＰＲＳ構成を提供する。さらに、ロケーションノードは、無線ノードが、ネイバリングセルからの干渉を回避するために、適切な帯域幅をもつターゲットＵＥのためのＰＲＳを割り当て得るように、ターゲットＵＥをサーブする無線ノードに、および場合によってはネイバリング無線ノードにＰＲＳ構成を要求し得る。
【００３２】
本開示の特定の実施形態は、ＬＴＥにおけるＰＲＳについて規定されたものと同様の、測位のための物理参照信号に焦点を当てる。したがって、本開示は、チャネル状態情報参照信号（ＣＳＩ−ＲＳ）、タイミング参照信号（ＴＲＳ）、ＴＰＲＳ、測位目的のために規定されたＮＲ参照信号（ＮＲ  ＰＲＳ）など、他の既存のＮＲ物理参照信号について有効である。ＬＴＥと同様のＮＲ  ＰＲＳ構成は、ＴＳ３６．３５５において指定されているような、ＰＲＳ送信、ＰＲＳオケージョン、ミューティングパターン、ＰＲＳ希望（ＰＲＳ  ｈｏｐｉｎｇ）、帯域幅、および／またはセルＩＤパラメータのための、いくつかの連続するサブフレームを損なうであろう。さらに、ＮＲに関して、本開示の特定の実施形態は、ＰＲＳリソースセットに関するビーム情報とＰＲＳとを含んでいるように拡張される。
【００３３】
本開示では、ＵＥアンテナコネクタにおける、シンボルの有用な部分中の、すなわち、サイクリックプレフィックスを除く、リソースユニット当たりの受信エネルギー（たとえば、サブキャリア間隔に対して正規化された電力）を指すために、Ｅｓが使用され得る。本開示では、ＵＥアンテナコネクタにおいて測定されたあるリソースユニットのための総雑音および干渉の受信電力スペクトル密度（たとえば、ＲＥにわたって積算され、サブキャリア間隔に対して正規化された電力）を指すために、Ｉｏｔが使用され得る。
【００３４】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００３５】
図２は、いくつかの実施形態による、測位参照信号構成のための例示的な方法を示す。方法は、ロケーションノードおよび／または無線ノードにおいて実施され得る。ステップ２００〜２３０は、ロケーションノードにおいて実施され得、ステップ２４０〜２６０は、無線ノードにおいて実施され得る。ステップ２００において、ロケーションノードは、第１のＰＲＳ構成を初めて構成し、ＵＥに、第１のＰＲＳ構成に基づく第１のＰＲＳを提供する。
【００３６】
ステップ２１０において、ロケーションノードは、いくつかのシナリオでは、ＵＥまたは無線ノードからＰＲＳの品質に関するフィードバックを受信する。ロケーションノードは、ＰＲＳの品質に関する受信されたフィードバックに基づいて、ＯＴＤＯＡネイバリングセルのリストを作成する。ロケーションノードは、受信されたフィードバックに基づいてＰＲＳのための密度を変動させる。たとえば、セル１が、セル２よりも良好なＰＲＳ品質を有する場合、ロケーションノードは、セル１上でより多くのＰＲＳを提供するであろう。いくつかの実施形態では、セル２上のＰＲＳ送信が停止され得る。いくつかの実施形態では、いくつかのセルが、ＰＲＳを送信するために使用されるいくつかのビームを損なうことがあり、したがって、ロケーションノードは、損なわれたビームに基づいて、ＰＲＳ送信のためにどのビームを使用すべきかを決定し得る。
【００３７】
ステップ２２０において、ロケーションノードは、ＵＥのロケーションを推定しながら、ＰＲＳの品質に関する受信されたフィードバックに基づいて、およびセルにおけるＰＲＳ送信密度に基づいて、参照信号時間差（ＲＳＴＤ）測定に異なるウエイト（ｗｅｉｇｈｔ）を割り振る。
【００３８】
ステップ２３０において、ロケーションノードは、無線ノードに、ＵＥ推奨であるかまたは１つまたは複数のＵＥの１つまたは複数の特性に基づく、第２のＰＲＳ構成を提供する。いくつかの実施形態では、ロケーションノードは、ビームの１つまたは複数のリストを提供し得る。たとえば、ビームの第１のリストがＰＲＳ送信のために使用され、ビームの第２のリストがＰＲＳ送信のために使用されない。あるビーム送信から取得された品質があるしきい値を下回る場合、ロケーションノードは、無線ノードに、そのビームにおけるＰＲＳ送信をオフにすることを推奨し得る。ロケーションノードは、第２のＰＲＳ構成を、周期的に、あるいは、あるしきい値、ＵＥのアクティブなまたは好ましい／示唆された（１つまたは複数の）帯域幅部分を超えるだけの変化が起きたとき、提供し得る。
【００３９】
ステップ２４０において、無線ノードは、無線ノードにおいて利用可能な情報に基づいて、適応的に第３のＰＲＳ構成を決定する。第２のＰＲＳ構成が受信された場合、第３のＰＲＳ構成は、第２のＰＲＳ構成と同じであるか、または第２のＰＲＳ構成に基づき得る。
【００４０】
ステップ２５０において、無線ノードは、いくつかのシナリオでは、第３のＰＲＳ構成を、ＵＥに、またはロケーションノードに、または別の無線ノードに提供する。いくつかの実施形態では、第３のＰＲＳ構成は、共通であるかまたはＵＥ固有であるかのいずれかであり得る。
【００４１】
ステップ２６０において、無線ノードは、いくつかの実施形態では、第３のＰＲＳ構成に基づいてＵＥに追加のＰＲＳを送信する。
【００４２】
図３は、いくつかの実施形態による、測位参照信号構成のための別の例示的な方法を示す。方法は、ロケーションノードおよび／または無線ノードにおいて実施され得る。この方法がロケーションノードにおいて実施される場合、無線ノードは、ロケーションノードに関係情報を提供し得る。ステップ３００において、ネットワークノードは、展開が、ネイバリングセルのＰＲＳ帯域幅との重複を最小限に抑えるかまたは回避するように、ＰＲＳ帯域幅を割り当てるように、低干渉のまたは干渉のないＰＲＳ割り当てを設計することを目的とする。
【００４３】
ステップ３１０において、ネットワークノードは、ＰＲＳ帯域幅をＵＥ移動に動的に適応させる。たとえば、ＵＥ移動に基づいてＰＲＳ帯域幅を動的に適応させることは、測定をより速くするために、またはＵＥ移動によるドップラーに対抗するために、高速で移動するＵＥのためにより大きい帯域幅上でＰＲＳを送信することである。
【００４４】
ステップ３２０において、ネットワークノードは、ロケーションノードから、特定のＵＥにまたはすべてのＵＥに共通にＰＲＳを割り振るようにとの要求を受信する。
【００４５】
ステップ３３０において、ネットワークノードは、ネイバリング無線ノードから、特定のＵＥのためのＰＲＳ構成を受信するか、またはすべてのＵＥのためのＰＲＳ構成を共通に受信する。
【００４６】
ステップ３４０において、ネットワークノードは、専用シグナリングＬＴＥ測位プロトコル（ＬＰＰ）を使用して、ブロードキャストで、またはダウンリンク制御情報（ＤＣＩ）ＰＤＣＣＨを使用して、ＰＲＳ構成を提供する。いくつかの実施形態では、ブロードキャストは、送信カバレッジ内の任意のＵＥのためのものであり得る。
【００４７】
図４は、いくつかの実施形態による、測位参照信号構成のためのまた別の例示的な方法を示す。方法は、ＵＥにおいて実施され得る。ステップ４００において、ＵＥは、ロケーションノードまたは無線ノードからＰＲＳを受信する。いくつかの実施形態では、受信されたＰＲＳは、図２のステップ２００において開示される第１のＰＲＳ構成に基づいて構成される。
【００４８】
ステップ４１０において、ＵＥは、受信されたＰＲＳの１つまたは複数の特性を決定し、ネットワークノード（たとえば、無線ノードまたはロケーションノード）に、ＰＲＳの決定された特性またはＰＲＳの推奨を提供する。ＵＥは、ネットワークノードに、特性に基づいて決定された第２のＰＲＳ構成を、測定（たとえば、支援データ要求中の測定）を実施する前に、周期的に、または特性の著しい変化時に、提供する。
【００４９】
ステップ４２０において、ＵＥは、専用、マルチキャスト、またはブロードキャストシグナリングを介して、ネットワークノードから第３のＰＲＳ構成を取得する。たとえば、ＰＲＳ構成の送信は、ＬＰＰのようなプロトコル専用シグナリングを介して、ネイバリングセルのためのオンデマンドシステムブロードキャストにおいて、および／またはサービングセルのためのＤＣＩ  ＰＤＣＣＨから、行われ得る。第２のＰＲＳ構成が提供された場合、第３のＰＲＳ構成は、第２のＰＲＳ構成と同じであり得るか、または第２のＰＲＳ構成に基づき得る。
【００５０】
ステップ４３０において、ＵＥは、第３のＰＲＳ構成に基づいて、受信されたＰＲＳに対して測定を実施する。
【００５１】
ステップ４４０において、ＵＥは、いくつかのシナリオの下でネットワークノードに測定を送出する。
【００５２】
図２〜図４は、ＰＲＳ構成のための、無線デバイスによって実施される方法を含む特定の実施形態を開示する。高レベル説明において、方法は、第１のＰＲＳを受信することを含む。方法は、ＰＲＳの品質に関してネットワークノードにフィードバックを提供することをも含む。方法は、ＰＲＳ構成を含むメッセージを受信することをさらに含む。ＰＲＳ構成は、第１のＰＲＳとは異なる特性を有する１つまたは複数の追加のＰＲＳを指定し、１つまたは複数の追加のＰＲＳの特性は、ネットワークノードに提供されたフィードバックに基づく。方法は、ＰＲＳ構成に基づく１つまたは複数の追加のＰＲＳを受信することをさらに含む。
【００５３】
いくつかの実施形態では、ＰＲＳ構成は、専用、マルチキャスト、オンデマンドブロードキャスト、またはブロードキャストシグナリングを介して受信される。たとえば、ＰＲＳ構成は、ＲＲＣ、ＬＰＰ、またはＤＣＩを介して受信され得る。
【００５４】
いくつかの実施形態では、方法は、第１のＰＲＳに対して１つまたは複数の測定を実施することをさらに含む。いくつかの実施形態では、方法は、１つまたは複数の追加のＰＲＳに対して１つまたは複数の測定を実施することをさらに含む。
【００５５】
いくつかの実施形態では、方法は、ＰＲＳに関するフィードバックと、無線デバイス（たとえばＵＥ）が位置する環境についての情報とを提供することをさらに含む。
【００５６】
いくつかの実施形態では、方法は、複数のサブフレームまたは測位オケージョンのために構成されたＰＲＳを求める要求メッセージを送出することをさらに含む。
【００５７】
いくつかの実施形態では、方法は、１つまたは複数のＰＲＳについての１つまたは複数の到達時間を推定することをさらに含む。
【００５８】
ＰＲＳ構成のための、ネットワークノードによって実施される方法の別の例示的な実施形態として、方法は、ＵＥのための第１のＰＲＳ構成を提供することを含む。方法は、ＵＥから、ＰＲＳに関するフィードバックを受信することをも含む。方法は、フィードバックに基づいて、更新されたＰＲＳ構成を提供することをさらに含み、更新されたＰＲＳ構成は、第１のＰＲＳ構成とは異なる。
【００５９】
いくつかの実施形態では、ネットワークノードは、基地局またはロケーションノードである。
【００６０】
いくつかの実施形態では、方法は、ＰＲＳを提供することをさらに含む。
【００６１】
いくつかの実施形態では、方法は、ＰＲＳのための帯域幅を割り当てることをさらに含み、帯域幅は、ネイバリングセルからのＰＲＳ帯域幅との重複を最小限に抑えるように割り当てられる。別の実施形態では、帯域幅は、ＰＲＳのために、他のＰＲＳとの時間および周波数における重複を回避するように割り当てられる。
【００６２】
いくつかの実施形態では、方法は、特定のＵＥにＰＲＳ構成を割り振るようにとの要求を受信することをさらに含む。
【００６３】
いくつかの実施形態では、方法は、オンデマンドブロードキャスト、ブロードキャスト、マルチキャスト、または専用シグナリングのうちの１つを介してＰＲＳ構成を送信することをさらに含む。
【００６４】
いくつかの実施形態では、方法は、受信された相互相関係数に基づいて、フィードバックにおいて測定を構成することをさらに含む。
【００６５】
いくつかの実施形態では、より高い相互相関係数に関係する測定が、より良好な測位正確さのために優先される。
【００６６】
いくつかの実施形態では、方法は、測定を順次降順で構成することをさらに含む。降順は、相互相関係数の値の順序であり得る。
【００６７】
いくつかの実施形態では、方法は、しきい値よりも不良な相互相関係数を生じるセルからのＰＲＳを使用して行われる測定を廃棄することをさらに含む。
【００６８】
いくつかの実施形態では、方法は、より良好な相互相関係数を有するセルを識別することと、次いで、識別されたセルに、より多くのＰＲＳリソースを割り当てることとをさらに含む。
【００６９】
いくつかの実施形態では、より良好な相互相関係数を有するセルは、しきい値を上回るものである。
【００７０】
いくつかの実施形態では、より良好な相互相関係数を有するセルは、上位「Ｘ」パーセントのセルであり、ここで、「Ｘ」は、０％から１００％の間の値である。
【００７１】
いくつかの実施形態では、方法は、静的ＰＲＳ構成を使用すべきなのか、動的ＰＲＳ構成を使用すべきなのかを決定することをさらに含む。いくつかの実施形態では、決定は、セル中のＵＥの数に基づく。
【００７２】
いくつかの実施形態では、方法は、ＰＲＳ品質に関する、ＵＥから受信されたフィードバックに基づいて、ＯＴＤＯＡネイバリングセルまたはビームのリストを作成または分類することをさらに含む。
【００７３】
いくつかの実施形態では、方法は、ＰＲＳ送信のためにどのビームが使用されるべきか、およびＰＲＳ送信のためにどのビームが使用され続けるのを停止されるべきかを決定することをさらに含む。
【００７４】
本開示の特定の実施形態は、異なるシナリオセットアップのために適合された可能性を有し得る動的ＰＲＳ構成を提供する。別の例として、ＵＥが移動中であるとき、動的ＰＲＳ構成はより適応的である。別の例として、静的ＰＲＳ割り振りよりも、リソースのより良好な利用が提供される。たとえば、特定の実施形態は、ダウンリンクリソースを過度に浪費することなしに、測位オケージョンごとに、（１つまたは複数の）特定のＵＥに大量のＰＲＳを割り振る。
【００７５】
ＰＲＳに対して実施された測定に関して、ＵＥは、ＲＳＴＤ測定とともに、ロケーションノードに、定量化されたＰＲＳ信号相互相関係数を折り返し報告する。次いで、ロケーションノードは、受信された相互相関係数に基づいてＲＳＴＤ測定を構成し、より良好な測位正確さのために、より高い相互相関係数に関係するＲＳＴＤ測定を使用する。より高い相互相関係数に関係するＲＳＴＤ測定に基づいて、ロケーションノードは、（原則として、サービングセルからのＰＲＳを使用して推定された）最も高い相互相関係数に関連するＲＳＴＤ測定を優先し、次いで、測定の残りを順次降順で構成する。最悪の相互相関係数を生じるセルからのＰＲＳを使用して行われるＲＳＴＤ測定がＵＥの測位中に廃棄されるように、しきい値がセットアップされ得る。一方、より良好な相互相関係数を有するセルを識別すると、より多くのＰＲＳリソース（たとえば、より密なＰＲＳまたはより広い帯域幅のＰＲＳ）を割り当てられることになり、したがって、新たに構成されたＰＲＳに対して新しいＲＳＴＤ測定が行われるであろう。
【００７６】
さらに、ＵＥは、ロケーションノードに、ＵＥの現在の環境についての情報をも折り返し報告し得る。ＵＥが位置する環境に応じて、ＵＥは、（１つまたは複数の）ＰＲＳが、複数のサブフレームまたはオケージョンのために構成されるように求めることができる。ＵＥが、マルチパスリッチ環境（ｍｕｌｔｉｐａｔｈ  ｒｉｃｈ  ｅｎｖｉｒｏｎｍｅｎｔ）中に（たとえば、建築物内に）ある場合、ＵＥは、ロケーションノードに、ＵＥのＰＲＳが、複数の連続するサブフレームまたはオケージョンにおける送信のために構成されるように求めることができる。たとえば、シナリオに応じて、ロケーションノードがＰＲＳを提供しており、ロケーションノードが、無線信号を送信していないコアネットワークノードであり得る場合、代わりに、ロケーションノードは、無線ネットワークノードに、ＰＲＳを送信するように命令し得、使用されるべきＰＲＳ構成を示唆し得る。ＵＥは、次いで、ＰＲＳがそのために構成されたサブフレームまたはオケージョンの数に応じて、複数のＴＯＡを推定し、ＲＳＴＤ測定のためにＴＯＡの最小値を選定することによって利益を得ることが可能であり得る。いくつかの実施形態では、ＴＯＡの最小値は、見通し線（ＬＯＳ）ＴＯＡに近いことがある。したがって、適応的なＰＲＳを構成しながら、ＵＥのロケーションに応じて必要とされるサブフレームまたはオケージョンの数も考慮される。この手法では、ＵＥがオープン環境中にあるとき、ＰＲＳ送信のためにより少ない連続するフレームまたはオケージョンが使用されることになり、ＵＥが屋内環境またはマルチパスリッチ環境中にあるとき、ＰＲＳ送信のためにより多くの連続するフレームまたはオケージョンが使用されるものとする。したがって、リソースの動的割り当て／活用が達成される。
【００７７】
図５は、いくつかの実施形態による、干渉セルにおける重複しないＰＲＳ帯域幅割り当てを示す。ＰＲＳ帯域幅割り当てのために、たとえば、測位オケージョンごとと同程度に速い、動的ＰＲＳ構成がどのように達成されるかに関して、ミューティング（たとえば、測位オケージョンの時間ベースのブランキング）によって、ＬＴＥにおけるＰＲＳ信号のための干渉緩和が達成される。強いセルのＰＲＳ信号がミュートされたとき、弱いネイバリングＰＲＳが検出され得る。しかしながら、これはリソース浪費につながり、構成は、ミューティングと干渉なしとを達成するために緊密に監視され、制御される必要がある。ＮＲにおける、利用可能な広帯域幅をとるための簡略化されたやり方が必要とされる。図５は、干渉を回避するための方式が、ＰＲＳのための重複しない帯域幅を有することであり得ることを示す。したがって、ＰＲＳオケージョンは、決して、同じ時間または周波数において現れず、したがって、干渉がない。
【００７８】
帯域幅および／またはＰＲＳの量は、異なるオケージョンに基づいて適応されるであろう。たとえば、高スピードＵＥについて、より速い測定を行うためにより大きい帯域幅が割り当てられるであろう。帯域幅はまた、ＵＥ移動によるドップラーに対抗するように適応的であろう。同様に、ロケーション正確さおよびレイテンシのために必要とされるＵＥのＱｏＳに基づいて、ＰＲＳ構成は適応的に行われ得る。ＰＲＳのために未使用である帯域幅は、他の送信、たとえば、データ送信のために無線ノードによって使用され得るか、またはブランクのままにされ得、これは、たとえば、送信無線ネットワークノードによって、および／または送信無線ノードにおけるＰＲＳ割り当てを協調させる他のネットワークノード（たとえば、Ｏ＆Ｍ、ＳＯＮ、ロケーションノードなど）によって決められ得る。
【００７９】
また、ＰＲＳの密度に関して、ＰＲＳが疎であるとき（たとえば、リソースブロックごとにより少数のＰＲＳリソースエレメントがある場合、またはより高い周波数における再使用の場合）、より多くのセルが、干渉を引き起こすことなしに、重複するＰＲＳ帯域幅上で送信することが観測され得る。より少数のＲＥを補償するために、より大きい帯域幅が必要とされ得る。重複する帯域幅があるが、疎なＰＲＳがある場合の利点は、ＵＥが、異なる周波数に再調整することなしにおよび測定ギャップなしに、異なるセルからＰＲＳを受信することが可能であることになることである。
【００８０】
図６は、いくつかの実施形態による、ロケーションノードと、無線ノードと、ＵＥとの間のフローのシーケンスを示す。ＵＥは、支援データを要求しながら、ＵＥの挙動とチャネル特性とを指示する。これは、ＵＥが、表１に示されているような共通要求支援データ（ＡＤ）メッセージ中でＯＴＤＯＡ  ＡＤについて要求する間に行われ得るか、または、これは、共通要求ＡＤメッセージの一部であり得る。
【００８１】
ＵＥ挙動の指示について、その指示において、挙動は、前の報告からの変位、静止していることの指示、スピードおよび速度、加速度、ビーム報告、ＵＥヌメロロジー（たとえば、現在使用されているまたは好ましいまたはサポートされるサブキャリア間隔またはＣＰ）、セルおよび／またはビーム信号を特徴づける非ＰＲＳ信号（たとえば、ＳＳＢまたはＣＳＩ−ＲＳ）強度または品質、セルのＮ個（Ｎ＝１、２．．．）の最良ビームの暗黙的または明示的指示、ならびにＰＲＳ強度またはＰＲＳ品質測定（たとえば、ＰＲＳ受信電力、ＰＲＳ  ＳＩＮＲ、ＰＲＳ  Ｅｓ／Ｉｏｔなど）を含む。
【００８２】
チャネル特性の指示は、屋内／半屋内または屋外環境中にあることの指示、ビーム測定、ＳＩＮＲ、ＰＲＳに基づくセルのセットの参照信号受信電力（ＲＳＲＰ）、およびＣＱＩなどを含む。
【００８３】
図２中のステップ２３０では、ＵＥ特性は、ＵＥ環境タイプ、ＵＥ速度、ＵＥヌメロロジー（たとえば、現在使用されているまたは好ましいまたはサポートされるサブキャリア間隔またはＣＰ）、セルおよび／またはビーム信号を特徴づける非ＰＲＳ信号（たとえば、ＳＳＢまたはＣＳＩ−ＲＳ）強度または品質、セルのＮ個（Ｎ＝１、２．．．）の最良ビームの暗黙的または明示的指示、ならびに／あるいはＰＲＳ強度またはＰＲＳ品質測定（たとえば、ＰＲＳ受信電力、ＰＲＳ  ＳＩＮＲ、ＰＲＳ  Ｅｓ／Ｉｏｔなど）であり得る。
【００８４】
図２中のステップ２４０では、無線ノードにおける利用可能な情報は、ＰＲＳシーケンス、ＰＲＳヌメロロジー、ＰＲＳ密度、ＰＲＳ帯域幅、ＰＲＳオケージョンの数、ＰＲＳサブフレームの数、ＵＥにＰＲＳを送信するためにセルによって使用されるべきビームの数、ＰＲＳのためのビーム固有時間周波数リソース、ＰＲＳサブフレームのＣＰ、および／あるいはＵＥの（１つまたは複数の）アクティブまたは好ましい／示唆された帯域幅部分内にあるべきＰＲＳ中心周波数であり得る。
【００８５】
ＩＥ  ＯＴＤＯＡ−ＲｅｑｕｅｓｔＡｓｓｉｓｔａｎｃｅＤａｔａが、ロケーションノードに支援データを要求するためにターゲットデバイスによって使用される。
2021533615.tif 000003
【００８６】
ロケーションノードは、ＰＲＳを割り当てるように無線ノードに知らせる。いくつかの実施形態では、無線ノードは、ＵＥから受信されたフィードバックに基づいてＰＲＳを割り振り得る。ロケーションノードは、他のネイバリング無線ノードにも割り振り要求を送出する。他の無線ノードが、図９にさらに示されているように、それらの無線ノードのＰＲＳ構成をサービング無線ノードに送出する。サービング無線ノードは、図９にさらに示されているように、ブロードキャスト（たとえばオンデマンドブロードキャスト）によってまたはＰＤＣＣＨを介してＰＲＳ構成を送出し得る。
【００８７】
図７は、いくつかの実施形態による、２つの異なるＵＥのための帯域幅に関するＰＲＳの例示的な割り当てを示す。ＰＲＳの動的割り当てが、ＤＣＩを介して割り振られ得る。いくつかの実施形態では、帯域幅部分１（ＢＷＰ１）がＵＥ１に割り振られ得、帯域幅部分２（ＢＷＰ２）がＵＥ２に割り振られ得、ここで、ＢＷＰ１とＢＷＰ２とは重複しない。
【００８８】
図８は、いくつかの実施形態による、単一の物理参照ブロック（ＰＲＢ）における例示的なＰＲＳパターンを示す。ＰＲＢは、図７において開示されるＵＥ１に専用である。いくつかの実施形態では、ＰＲＳリソースエレメントは、連続するかまたは連続しないことがある。いくつかの実施形態では、ＰＲＳリソースエレメントは、対角パターンまたは非対角パターンを有し得る。潜在的に、すべての参照エレメントがＰＲＳのために使用され得る。
【００８９】
図９は、いくつかの実施形態による、無線ノードからの例示的な送信ＰＲＳを示す。ロケーションノードが、ターゲットデバイスから支援データの要求を受信し得る。ロケーションノードは、無線ノード（たとえば、サービング無線ノードおよびネイバリング無線ノード）にＰＲＳ構成の要求を送出し得る。いくつかの実施形態では、ロケーションノードは、無線ノードへのＰＲＳ再構成の要求をトリガし得る。いくつかの実施形態では、ネイバリング無線ノードは、ロケーションノードから送出された要求とは無関係である、サービング無線ノードへのＰＲＳ再構成の要求をトリガし得る。無線ノードは、ＰＲＳの動的構成および静的構成（たとえば、サービングセルおよびネイバリングセルのためのＰＲＳ構成）を提供し得る。ターゲットデバイスがサービングセル中にあるとき、ターゲットデバイスはＤＣＩ（ＰＤＣＣＨ）から動的ＰＲＳ構成を受信する。ネイバリング無線ノードはサービング無線ノードにＰＲＳ構成を送出することになり、次いで、ＰＲＳ構成は、ＰＤＣＣＨを介してサービング無線ノードによってターゲットデバイスに送出され得る。いくつかの実施形態では、無線ノードは、ロケーションサーバ（たとえばロケーションノード）から、新しいＰＲＳ構成についての新しい要求を受信し得る。さらに、サービング無線ノードおよびネイバー無線ノードは、Ｘ２／Ｘｎインターフェースを介してＰＲＳ割り当てを増加／減少させるべきかどうかに関して、互いと通信するであろう。
【００９０】
代替的に、静的構成はまた、すべての共通の非サービングＵＥのために行われ得る。ターゲットデバイスは、サービング無線ノードによってブロードキャストされたシステム情報からオンデマンドで構成情報を取得し得る。
【００９１】
本開示の特定の実施形態は、ＰＲＳパターンの静的に構成された部分とＰＲＳパターンの動的に構成された部分との組合せをも提供し得る。それらの部分の両方が、一緒に、無線ノード、たとえばサービング無線ノードから送信されたＰＲＳパターンを含むことになる。
【００９２】
ＰＲＳ構成、特に、動的または静的ＰＲＳ構成、およびＰＲＳ構成における密なまたは疎なＰＲＳの決定に関して、セル中のＵＥの数およびＵＥ能力に応じた、ロケーションノードは、動的構成を使用すべきなのか、静的構成を使用すべきなのかを決め得る。ＵＥが限定される場合、より多くのＵＥが測位に関与するとき、専用および同様のＰＲＳを使用することがより好適であることになり、その場合、オンデマンドブロードキャストソリューションが採用され得る。ＵＥによってＰＲＳ品質に関して提供されたフィードバックに応じて、ネットワークノードは、密なＰＲＳ構成を提供すべきなのか、疎なＰＲＳ構成を提供すべきなのかを決め得る。あるセルについてのＰＲＳの品質がより良好である場合、ロケーションノードは、リソースを節約するために、より良好にランク付けされたセルにおいてより密なＰＲＳ構成を提供し、より不良にランク付けされたセルにおいてより疎なＰＲＳ構成を提供することを決め得る。したがって、リソースのより良好な利用が達成され得る。
【００９３】
新しいＰＲＳ構成を決定することの例は、以下を含み得る。
１．セル中でのＰＲＳ構成を増加させる（たとえば、リソースブロックおよび／またはサブフレーム内のＰＲＳリソースエレメントの帯域幅、密度、数、測位オケージョンごとのＰＲＳサブフレームの数などのうちの１つまたは複数を増加させる）か、あるいは、セルの品質特性が、ＵＥのうちのＮ１個（Ｎ１＝１、２、．．．）またはＵＥのＹ１％についての第１のしきい値を下回るとき、ＰＲＳ周波数再使用を低減し、ここで、Ｎ１およびＹ１は、あらかじめ規定されるか、または構成され得る。
２．セル中でのＰＲＳ構成を減少させる（たとえば、リソースブロックおよび／またはサブフレーム内のＰＲＳリソースエレメントの帯域幅の低減、密度の低減、数の低減、測位オケージョンごとのＰＲＳサブフレームの数の低減などのうちの１つまたは複数）か、あるいは、セルの品質特性が、ＵＥのうちのＮ２個（Ｎ２＝１、２、．．．）またはＵＥのＹ２％についての第２のしきい値を上回るとき、ＰＲＳ周波数再使用を増加させ、ここで、Ｎ２およびＹ２は、あらかじめ規定されるか、または構成され得る。
【００９４】
上記の例では、第２のＰＲＳ構成がＵＥによって示唆された場合、この特定の実施形態において、Ｎ１およびＮ２が１であることになり、Ｙ１およびＹ２が適用可能でないことになることが明白である。
【００９５】
さらに、ロケーションノードはまた、ＰＲＳ品質に関する、ＵＥから受信されたフィードバックに基づいて、ネイバリングセルのＯＴＤＯＡについてのネイバリングセルリストを作成または分類し得る。たとえば、そのリストは、セルの良好なまたは許容できる品質、あるいはしきい値を上回る品質を示すフィードバックを伴うセルを含み得る。また、分類は、フィードバック、たとえば、品質の減少または増加、によって決定された順序で行われ得る。
【００９６】
同様に、ロケーションノードは、ＰＲＳの知覚された品質に基づいておよびＰＲＳ送信密度に基づいて、ＵＥロケーションを計算しながら、異なるＲＳＴＤ測定に重み（ｗｅｉｇｈｔａｇｅ）を与え得る。重みは、ＵＥロケーションのより良好な推定を提供することになる。
【００９７】
図１０は、いくつかの実施形態による、例示的な無線ネットワークである。本明細書で説明される主題は、任意の好適な構成要素を使用する任意の適切なタイプのシステムにおいて実装され得るが、本明細書で開示される実施形態は、図１０に示されている例示的な無線ネットワークなどの無線ネットワークに関して説明される。簡単のために、図１０の無線ネットワークは、ネットワーク１００６、ネットワークノード１０６０および１０６０ｂ、ならびに無線デバイス（ＷＤ）１０１０、１０１０ｂ、および１０１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード１０６０および無線デバイス（ＷＤ）１０１０は、追加の詳細とともに図示される。いくつかの実施形態では、ネットワークノード１０６０は、ｅＮＢなど、基地局であり得る。本開示では、ｅＮＢという用語は、区別する必要が特にない限り、ｅＮＢとｎｇ−ｅＮＢの両方を指すために使用され得る。いくつかの実施形態では、ネットワークノード１０６０は、図２３および図２７にさらに示されている、ネットワークノードであり得る。いくつかの実施形態では、ネットワークノード１０６０はソースネットワークノードであり得る。いくつかの実施形態では、ネットワークノード１０６０はターゲットネットワークノードであり得る。いくつかの実施形態では、無線デバイス１０１０は、図２３および図２６にさらに示されている、ユーザ機器であり得る。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００９８】
無線ネットワークは、任意のタイプの通信（ｃｏｍｍｕｎｉｃａｔｉｏｎ）、通信（ｔｅｌｅｃｏｍｍｕｎｉｃａｔｉｏｎ）、データ、セルラ、および／または無線ネットワーク、あるいは他の同様のタイプのシステムを備え、および／またはそれらとインターフェースし得る。いくつかの実施形態では、無線ネットワークは、特定の規格あるいは他のタイプのあらかじめ規定されたルールまたはプロシージャに従って動作するように構成され得る。したがって、無線ネットワークの特定の実施形態は、汎欧州デジタル移動電話方式（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、マイクロ波アクセスのための世界的相互運用性（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００９９】
ネットワーク１００６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【０１００】
ネットワークノード１０６０およびＷＤ１０１０は、以下でより詳細に説明される様々な構成要素を備える。これらの構成要素は、無線ネットワークにおいて無線接続を提供することなど、ネットワークノードおよび／または無線デバイス機能を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【０１０１】
本明細書で使用されるネットワークノードは、無線デバイスと、ならびに／あるいは、無線デバイスへの無線アクセスを可能にし、および／または提供するための、および／または、無線ネットワークにおいて他の機能（たとえば、アドミニストレーション）を実施するための、無線ネットワーク中の他のネットワークノードまたは機器と、直接または間接的に通信することが可能な、そうするように構成された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散無線基地局の１つまたは複数（またはすべて）の部分をも含み得る。そのようなリモートラジオユニットは、アンテナ統合無線機としてアンテナと統合されることも統合されないこともある。分散無線基地局の部分は、分散アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように構成された、構成された、および／または動作可能な任意の好適なデバイス（またはデバイスのグループ）を表し得る。
【０１０２】
図１０では、ネットワークノード１０６０は、処理回路１０７０と、デバイス可読媒体１０８０と、インターフェース１０９０と、補助機器１０８４と、電源１０８６と、電力回路１０８７と、アンテナ１０６２とを含む。図１０の例示的な無線ネットワーク中に示されているネットワークノード１０６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード１０６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体１０８０は、複数の別個のハードドライブならびに複数のＲＡＭモジュールを備え得る）。
【０１０３】
同様に、ネットワークノード１０６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード１０６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード１０６０は、複数の無線アクセス技術（ＲＡＴ）をサポートするように構成され得る。そのような実施形態では、いくつかの構成要素は複製され得（たとえば、異なるＲＡＴのための別個のデバイス可読媒体１０８０）、いくつかの構成要素は再使用され得る（たとえば、同じアンテナ１０６２がＲＡＴによって共有され得る）。ネットワークノード１０６０は、ネットワークノード１０６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード１０６０内の他の構成要素に統合され得る。
【０１０４】
処理回路１０７０は、ネットワークノードによって提供されるものとして本明細書で説明される、任意の決定動作、計算動作、または同様の動作（たとえば、いくつかの取得動作）を実施するように構成される。処理回路１０７０によって実施されるこれらの動作は、処理回路１０７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【０１０５】
処理回路１０７０は、単体で、またはデバイス可読媒体１０８０などの他のネットワークノード１０６０構成要素と併せてのいずれかで、ネットワークノード１０６０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路１０７０は、デバイス可読媒体１０８０に記憶された命令、または処理回路１０７０内のメモリに記憶された命令を実行し得る。そのような機能は、本明細書で説明される様々な無線特徴、機能、または利益のうちのいずれかを提供することを含み得る。いくつかの実施形態では、処理回路１０７０は、システムオンチップ（ＳＯＣ）を含み得る。
【０１０６】
いくつかの実施形態では、処理回路１０７０は、無線周波数（ＲＦ）トランシーバ回路１０７２とベースバンド処理回路１０７４とのうちの１つまたは複数を含み得る。いくつかの実施形態では、無線周波数（ＲＦ）トランシーバ回路１０７２とベースバンド処理回路１０７４とは、別個のチップ（またはチップのセット）、ボード、または無線ユニットおよびデジタルユニットなどのユニット上にあり得る。代替実施形態では、ＲＦトランシーバ回路１０７２とベースバンド処理回路１０７４との一部または全部は、同じチップまたはチップのセット、ボード、あるいはユニット上にあり得る。
【０１０７】
いくつかの実施形態では、ネットワークノード、基地局、ｅＮＢまたは他のそのようなネットワークデバイスによって提供されるものとして本明細書で説明される機能の一部または全部は、デバイス可読媒体１０８０、または処理回路１０７０内のメモリに記憶された、命令を実行する処理回路１０７０によって実施され得る。代替実施形態では、機能の一部または全部は、ハードワイヤード様式などで、別個のまたは個別のデバイス可読媒体に記憶された命令を実行することなしに、処理回路１０７０によって提供され得る。それらの実施形態のいずれでも、デバイス可読記憶媒体に記憶された命令を実行するか否かにかかわらず、処理回路１０７０は、説明される機能を実施するように構成され得る。特定の実施形態では、ネットワークノード１０６０の処理回路１０７０は、図２０〜図２２、および図２５にさらに示されている、方法を実施し得る。そのような機能によって提供される利益は、処理回路１０７０単独に、またはネットワークノード１０６０の他の構成要素に限定されないが、全体としてネットワークノード１０６０によって、ならびに／または概してエンドユーザおよび無線ネットワークによって、享受される。
【０１０８】
デバイス可読媒体１０８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路１０７０によって使用され得る情報、データ、および／または命令を記憶する、任意の他の揮発性または不揮発性、非一時的デバイス可読および／またはコンピュータ実行可能メモリデバイスを備え得る。デバイス可読媒体１０８０は、コンピュータプログラム、ソフトウェア、論理、ルール、コード、テーブルなどのうちの１つまたは複数を含むアプリケーション、および／または処理回路１０７０によって実行されることが可能であり、ネットワークノード１０６０によって利用される、他の命令を含む、任意の好適な命令、データまたは情報を記憶し得る。デバイス可読媒体１０８０は、処理回路１０７０によって行われた計算および／またはインターフェース１０９０を介して受信されたデータを記憶するために使用され得る。いくつかの実施形態では、処理回路１０７０およびデバイス可読媒体１０８０は、統合されていると見なされ得る。
【０１０９】
インターフェース１０９０は、ネットワークノード１０６０、ネットワーク１００６、および／またはＷＤ１０１０の間のシグナリングおよび／またはデータの有線または無線通信において使用される。示されているように、インターフェース１０９０は、たとえば有線接続上でネットワーク１００６との間でデータを送出および受信するための（１つまたは複数の）ポート／（１つまたは複数の）端末１０９４を備える。インターフェース１０９０は、アンテナ１０６２に結合されるか、またはいくつかの実施形態では、アンテナ１０６２の一部であり得る、無線フロントエンド回路１０９２をも含む。無線フロントエンド回路１０９２は、フィルタ１０９８と増幅器１０９６とを備える。無線フロントエンド回路１０９２は、アンテナ１０６２および処理回路１０７０に接続され得る。無線フロントエンド回路は、アンテナ１０６２と処理回路１０７０との間で通信される信号を調節するように構成され得る。無線フロントエンド回路１０９２は、無線接続を介して他のネットワークノードまたはＷＤに送出されるべきであるデジタルデータを受信し得る。無線フロントエンド回路１０９２は、デジタルデータを、フィルタ１０９８および／または増幅器１０９６の組合せを使用して適切なチャネルおよび帯域幅パラメータを有する無線信号に変換し得る。無線信号は、次いで、アンテナ１０６２を介して送信され得る。同様に、データを受信するとき、アンテナ１０６２は無線信号を収集し得、次いで、無線信号は無線フロントエンド回路１０９２によってデジタルデータに変換される。デジタルデータは、処理回路１０７０に受け渡され得る。他の実施形態では、インターフェースは、異なる構成要素および／または構成要素の異なる組合せを備え得る。
【０１１０】
いくつかの代替実施形態では、ネットワークノード１０６０は別個の無線フロントエンド回路１０９２を含まないことがあり、代わりに、処理回路１０７０は、無線フロントエンド回路を備え得、別個の無線フロントエンド回路１０９２なしでアンテナ１０６２に接続され得る。同様に、いくつかの実施形態では、ＲＦトランシーバ回路１０７２の全部または一部が、インターフェース１０９０の一部と見なされ得る。さらに他の実施形態では、インターフェース１０９０は、無線ユニット（図示せず）の一部として、１つまたは複数のポートまたは端末１０９４と、無線フロントエンド回路１０９２と、ＲＦトランシーバ回路１０７２とを含み得、インターフェース１０９０は、デジタルユニット（図示せず）の一部であるベースバンド処理回路１０７４と通信し得る。
【０１１１】
アンテナ１０６２は、無線信号を送出および／または受信するように構成された、１つまたは複数のアンテナまたはアンテナアレイを含み得る。アンテナ１０６２は、無線フロントエンド回路１０９２に結合され得、データおよび／または信号を無線で送信および受信することが可能な任意のタイプのアンテナであり得る。いくつかの実施形態では、アンテナ１０６２は、たとえば２ＧＨｚから６６ＧＨｚの間の無線信号を送信／受信するように動作可能な１つまたは複数の全指向性、セクタまたはパネルアンテナを備え得る。全指向性アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ１０６２は、ネットワークノード１０６０とは別個であり得、インターフェースまたはポートを通してネットワークノード１０６０に接続可能であり得る。
【０１１２】
アンテナ１０６２、インターフェース１０９０、および／または処理回路１０７０は、ネットワークノードによって実施されるものとして本明細書で説明される任意の受信動作および／またはいくつかの取得動作を実施するように構成され得る。任意の情報、データおよび／または信号が、無線デバイス、別のネットワークノードおよび／または任意の他のネットワーク機器から受信され得る。同様に、アンテナ１０６２、インターフェース１０９０、および／または処理回路１０７０は、ネットワークノードによって実施されるものとして本明細書で説明される任意の送信動作を実施するように構成され得る。任意の情報、データおよび／または信号が、無線デバイス、別のネットワークノードおよび／または任意の他のネットワーク機器に送信され得る。
【０１１３】
電力回路１０８７は、電力管理回路を備えるか、または電力管理回路に結合され得、本明細書で説明される機能を実施するための電力を、ネットワークノード１０６０の構成要素に供給するように構成される。電力回路１０８７は、電源１０８６から電力を受信し得る。電源１０８６および／または電力回路１０８７は、それぞれの構成要素に好適な形式で（たとえば、各それぞれの構成要素のために必要とされる電圧および電流レベルにおいて）、ネットワークノード１０６０の様々な構成要素に電力を提供するように構成され得る。電源１０８６は、電力回路１０８７および／またはネットワークノード１０６０中に含まれるか、あるいは電力回路１０８７および／またはネットワークノード１０６０の外部にあるかのいずれかであり得る。たとえば、ネットワークノード１０６０は、電気ケーブルなどの入力回路またはインターフェースを介して外部電源（たとえば、電気コンセント）に接続可能であり得、それにより、外部電源は電力回路１０８７に電力を供給する。さらなる例として、電源１０８６は、電力回路１０８７に接続された、または電力回路１０８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【０１１４】
ネットワークノード１０６０の代替実施形態は、本明細書で説明される機能、および／または本明細書で説明される主題をサポートするために必要な機能のうちのいずれかを含む、ネットワークノードの機能のいくつかの態様を提供することを担当し得る、図１０に示されている構成要素以外の追加の構成要素を含み得る。たとえば、ネットワークノード１０６０は、ネットワークノード１０６０への情報の入力を可能にするための、およびネットワークノード１０６０からの情報の出力を可能にするための、ユーザインターフェース機器を含み得る。これは、ユーザが、ネットワークノード１０６０のための診断、メンテナンス、修復、および他のアドミニストレーティブ機能を実施することを可能にし得る。
【０１１５】
本明細書で使用される無線デバイス（ＷＤ）は、ネットワークノードおよび／または他の無線デバイスと無線で通信することが可能な、そうするように構成された、構成された、および／または動作可能なデバイスを指す。別段に記載されていない限り、ＷＤという用語は、本明細書ではユーザ機器（ＵＥ）と互換的に使用され得る。いくつかの実施形態では、無線デバイス１０１０は、図２３および図２６にさらに図示されている、ユーザ機器であり得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように構成され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップコンピュータ、ラップトップ組込み機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、Ｖ２Ｖ（Ｖｅｈｉｃｌｅ−ｔｏ−Ｖｅｈｉｃｌｅ）、Ｖ２Ｉ（Ｖｅｈｉｃｌｅ−ｔｏ−Ｉｎｆｒａｓｔｒｕｃｔｕｒｅ）、Ｖ２Ｘ（Ｖｅｈｉｃｌｅ−ｔｏ−Ｅｖｅｒｙｔｈｉｎｇ）のための３ＧＰＰ規格を実装することによって、Ｄ２Ｄ（ｄｅｖｉｃｅ−ｔｏ−ｄｅｖｉｃｅ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連する他の機能が可能である。上記で説明されたＷＤは無線接続のエンド��イントを表し得、その場合、デバイスは無線端末と呼ばれることがある。さらに、上記で説明されたＷＤはモバイルであり得、その場合、デバイスはモバイルデバイスまたはモバイル端末と呼ばれることもある。
【０１１６】
示されているように、無線デバイス１０１０は、アンテナ１０１１と、インターフェース１０１４と、処理回路１０２０と、デバイス可読媒体１０３０と、ユーザインターフェース機器１０３２と、補助機器１０３４と、電源１０３６と、電力回路１０３７とを含む。ＷＤ１０１０は、ＷＤ１０１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ１０１０内の他の構成要素と同じまたは異なるチップまたはチップのセットに統合され得る。
【０１１７】
アンテナ１０１１は、無線信号を送出および／または受信するように構成された、１つまたは複数のアンテナまたはアンテナアレイを含み得、インターフェース１０１４に接続される。いくつかの代替実施形態では、アンテナ１０１１は、ＷＤ１０１０とは別個であり、インターフェースまたはポートを通してＷＤ１０１０に接続可能であり得る。アンテナ１０１１、インターフェース１０１４、および／または処理回路１０２０は、ＷＤによって実施されるものとして本明細書で説明される任意の受信動作または送信動作を実施するように構成され得る。任意の情報、データおよび／または信号が、ネットワークノードおよび／または別のＷＤから受信され得る。いくつかの実施形態では、無線フロントエンド回路および／またはアンテナ１０１１は、インターフェースと見なされ得る。
【０１１８】
示されているように、インターフェース１０１４は、無線フロントエンド回路１０１２とアンテナ１０１１とを備える。無線フロントエンド回路１０１２は、１つまたは複数のフィルタ１０１８と増幅器１０１６とを備える。無線フロントエンド回路１０１２は、アンテナ１０１１および処理回路１０２０に接続され、アンテナ１０１１と処理回路１０２０との間で通信される信号を調節するように構成される。無線フロントエンド回路１０１２は、アンテナ１０１１に結合されるか、またはアンテナ１０１１の一部であり得る。いくつかの実施形態では、ＷＤ１０１０は別個の無線フロントエンド回路１０１２を含まないことがあり、むしろ、処理回路１０２０は、無線フロントエンド回路を備え得、アンテナ１０１１に接続され得る。同様に、いくつかの実施形態では、ＲＦトランシーバ回路１０２２の一部または全部が、インターフェース１０１４の一部と見なされ得る。無線フロントエンド回路１０１２は、無線接続を介して他のネットワークノードまたはＷＤに送出されるべきであるデジタルデータを受信し得る。無線フロントエンド回路１０１２は、デジタルデータを、フィルタ１０１８および／または増幅器１０１６の組合せを使用して適切なチャネルおよび帯域幅パラメータを有する無線信号に変換し得る。無線信号は、次いで、アンテナ１０１１を介して送信され得る。同様に、データを受信するとき、アンテナ１０１１は無線信号を収集し得、次いで、無線信号は無線フロントエンド回路１０１２によってデジタルデータに変換される。デジタルデータは、処理回路１０２０に受け渡され得る。他の実施形態では、インターフェースは、異なる構成要素および／または構成要素の異なる組合せを備え得る。
【０１１９】
処理回路１０２０は、単体で、またはデバイス可読媒体１０３０などの他のＷＤ１０１０構成要素と併せてのいずれかで、ＷＤ１０１０機能を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能は、本明細書で説明される様々な無線特徴または利益のうちのいずれかを提供することを含み得る。たとえば、処理回路１０２０は、本明細書で開示される機能を提供するために、デバイス可読媒体１０３０に記憶された命令、または処理回路１０２０内のメモリに記憶された命令を実行し得る。特定の実施形態では、ＷＤ１０１０の処理回路１０２０は、ネットワーク１００６中のいくつかのセルについての測定を実施するための命令を実行し得、これは以下でさらに示される。特定の実施形態では、無線デバイス１０１０の処理回路１０２０は、図１９および図２４にさらに示されている、方法を実施し得る。
【０１２０】
示されているように、処理回路１０２０は、ＲＦトランシーバ回路１０２２、ベースバンド処理回路１０２４、およびアプリケーション処理回路１０２６のうちの１つまたは複数を含む。他の実施形態では、処理回路は、異なる構成要素および／または構成要素の異なる組合せを備え得る。いくつかの実施形態では、ＷＤ１０１０の処理回路１０２０は、ＳＯＣを備え得る。いくつかの実施形態では、ＲＦトランシーバ回路１０２２、ベースバンド処理回路１０２４、およびアプリケーション処理回路１０２６は、別個のチップまたはチップのセット上にあり得る。代替実施形態では、ベースバンド処理回路１０２４およびアプリケーション処理回路１０２６の一部または全部は１つのチップまたはチップのセットになるように組み合わせられ得、ＲＦトランシーバ回路１０２２は別個のチップまたはチップのセット上にあり得る。さらに代替の実施形態では、ＲＦトランシーバ回路１０２２およびベースバンド処理回路１０２４の一部または全部は同じチップまたはチップのセット上にあり得、アプリケーション処理回路１０２６は別個のチップまたはチップのセット上にあり得る。また他の代替実施形態では、ＲＦトランシーバ回路１０２２、ベースバンド処理回路１０２４、およびアプリケーション処理回路１０２６の一部または全部は、同じチップまたはチップのセット中で組み合わせられ得る。いくつかの実施形態では、ＲＦトランシーバ回路１０２２は、インターフェース１０１４の一部であり得る。ＲＦトランシーバ回路１０２２は、処理回路１０２０のためのＲＦ信号を調節し得る。
【０１２１】
いくつかの実施形態では、ＷＤによって実施されるものとして本明細書で説明される機能の一部または全部は、デバイス可読媒体１０３０に記憶された命令を実行する処理回路１０２０によって提供され得、デバイス可読媒体１０３０は、いくつかの実施形態では、コンピュータ可読記憶媒体であり得る。代替実施形態では、機能の一部または全部は、ハードワイヤード様式などで、別個のまたは個別のデバイス可読記憶媒体に記憶された命令を実行することなしに、処理回路１０２０によって提供され得る。それらの特定の実施形態のいずれでも、デバイス可読記憶媒体に記憶された命令を実行するか否かにかかわらず、処理回路１０２０は、説明される機能を実施するように構成され得る。そのような機能によって提供される利益は、処理回路１０２０単独に、またはＷＤ１０１０の他の構成要素に限定されないが、全体としてＷＤ１０１０によって、ならびに／または概してエンドユーザおよび無線ネットワークによって、享受される。
【０１２２】
処理回路１０２０は、ＷＤによって実施されるものとして本明細書で説明される、任意の決定動作、計算動作、または同様の動作（たとえば、いくつかの取得動作）を実施するように構成され得る。処理回路１０２０によって実施されるようなこれらの動作は、処理回路１０２０によって取得された情報を、たとえば、取得された情報を他の情報に変換することによって、処理すること、取得された情報または変換された情報をＷＤ１０１０によって記憶された情報と比較すること、ならびに／あるいは、取得された情報または変換された情報に基づいて、および前記処理が決定を行ったことの結果として、１つまたは複数の動作を実施することを含み得る。
【０１２３】
デバイス可読媒体１０３０は、コンピュータプログラム、ソフトウェア、論理、ルール、コード、テーブルなどのうちの１つまたは複数を含むアプリケーション、および／または処理回路１０２０によって実行されることが可能な他の命令を記憶するように動作可能であり得る。デバイス可読媒体１０３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路１０２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路１０２０およびデバイス可読媒体１０３０は、統合されていると見なされ得る。
【０１２４】
ユーザインターフェース機器１０３２は、人間のユーザがＷＤ１０１０と対話することを可能にする構成要素を提供し得る。そのような対話は、視覚、聴覚、触覚など、多くの形態のものであり得る。ユーザインターフェース機器１０３２は、ユーザへの出力を作り出すように、およびユーザがＷＤ１０１０への入力を提供することを可能にするように動作可能であり得る。対話のタイプは、ＷＤ１０１０にインストールされるユーザインターフェース機器１０３２のタイプに応じて変動し得る。たとえば、ＷＤ１０１０がスマートフォンである場合、対話はタッチスクリーンを介したものであり得、ＷＤ１０１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器１０３２は、入力インターフェース、デバイスおよび回路、ならびに、出力インターフェース、デバイスおよび回路を含み得る。ユーザインターフェース機器１０３２は、ＷＤ１０１０への情報の入力を可能にするように構成され、処理回路１０２０が入力情報を処理することを可能にするために、処理回路１０２０に接続される。ユーザインターフェース機器１０３２は、たとえば、マイクロフォン、近接度または他のセンサー、キー／ボタン、タッチディスプレイ、１つまたは複数のカメラ、ＵＳＢポート、あるいは他の入力回路を含み得る。ユーザインターフェース機器１０３２はまた、ＷＤ１０１０からの情報の出力を可能にするように、および処理回路１０２０がＷＤ１０１０からの情報を出力することを可能にするように構成される。ユーザインターフェース機器１０３２は、たとえば、スピーカー、ディスプレイ、振動回路、ＵＳＢポート、ヘッドフォンインターフェース、または他の出力回路を含み得る。ユーザインターフェース機器１０３２の１つまたは複数の入力および出力インターフェース、デバイス、および回路を使用して、ＷＤ１０１０は、エンドユーザおよび／または無線ネットワークと通信し、エンドユーザおよび／または無線ネットワークが本明細書で説明される機能から利益を得ることを可能にし得る。
【０１２５】
補助機器１０３４は、概してＷＤによって実施されないことがある、より固有の機能を提供するように動作可能である。これは、様々な目的のために測定を行うための特殊なセンサー、有線通信などの追加のタイプの通信のためのインターフェースなどを備え得る。補助機器１０３４の構成要素の包含、および補助機器１０３４の構成要素のタイプは、実施形態および／またはシナリオに応じて変動し得る。
【０１２６】
電源１０３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ１０１０は、電源１０３６から、本明細書で説明または指示される任意の機能を行うために電源１０３６からの電力を必要とする、ＷＤ１０１０の様々な部分に電力を配信するための、電力回路１０３７をさらに備え得る。電力回路１０３７は、いくつかの実施形態では、電力管理回路を備え得る。電力回路１０３７は、追加または代替として、外部電源から電力を受信するように動作可能であり得、その場合、ＷＤ１０１０は、電力ケーブルなどの入力回路またはインターフェースを介して（電気コンセントなどの）外部電源に接続可能であり得る。電力回路１０３７はまた、いくつかの実施形態では、外部電源から電源１０３６に電力を配信するように動作可能であり得る。これは、たとえば、電源１０３６の充電のためのものであり得る。電力回路１０３７は、電源１０３６からの電力に対して、その電力を、電力が供給されるＷＤ１０１０のそれぞれの構成要素に好適であるようにするために、任意のフォーマッティング、変換、または他の修正を実施し得る。
【０１２７】
図１１は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連しないことがあるか、または特定の人間のユーザに初めに関連しないことがある、デバイス（たとえば、スマートスプリンクラーコントローラ）を表し得る。代替的に、ＵＥは、エンドユーザへの販売、またはエンドユーザによる動作を意図されないが、ユーザに関連するか、またはユーザの利益のために動作され得る、デバイス（たとえば、スマート電力計）を表し得る。ＵＥ１１００は、ＮＢ−ＩｏＴ  ＵＥ、ＭＴＣ  ＵＥ、および／または拡張ＭＴＣ（ｅＭＴＣ）ＵＥを含む、第３世代パートナーシッププロジェクト（３ＧＰＰ）によって識別される任意のＵＥであり得る。図１１に示されているＵＥ１１００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために構成されたＷＤの一例である。いくつかの実施形態では、ユーザ機器１１００は、図２３および図２６にさらに図示されている、ユーザ機器であり得る。前述のように、ＷＤおよびＵＥという用語は、互換的に使用され得る。したがって、図１１はＵＥであるが、本明細書で説明される構成要素は、ＷＤに等しく適用可能であり、その逆も同様である。
【０１２８】
図１１では、ＵＥ１１００は、入出力インターフェース１１０５、無線周波数（ＲＦ）インターフェース１１０９、ネットワーク接続インターフェース１１１１、ランダムアクセスメモリ（ＲＡＭ）１１１７と読取り専用メモリ（ＲＯＭ）１１１９と記憶媒体１１２１などとを含むメモリ１１１５、通信サブシステム１１３１、電源１１１３、および／または他の構成要素、あるいはそれらの任意の組合せに動作可能に結合された、処理回路１１０１を含む。記憶媒体１１２１は、オペレーティングシステム１１２３と、アプリケーションプログラム１１２５と、データ１１２７とを含む。他の実施形態では、記憶媒体１１２１は、他の同様のタイプの情報を含み得る。いくつかのＵＥは、図１１に示されている構成要素のすべてを利用するか、またはそれらの構成要素のサブセットのみを利用し得る。構成要素間の統合のレベルは、ＵＥごとに変動し得る。さらに、いくつかのＵＥは、複数のプロセッサ、メモリ、トランシーバ、送信機、受信機など、構成要素の複数のインスタンスを含んでいることがある。
【０１２９】
図１１では、処理回路１１０１は、コンピュータ命令およびデータを処理するように構成され得る。処理回路１１０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように構成され得る。たとえば、処理回路１１０１は、２つの中央処理ユニット（ＣＰＵ）を含み得る。データは、コンピュータによる使用に好適な形式での情報であり得る。ある実施形態では、処理回路１１０１は、図１９および図２４にさらに示されている、方法を実施し得る。
【０１３０】
図示された実施形態では、入出力インターフェース１１０５は、入力デバイス、出力デバイス、または入出力デバイスに通信インターフェースを提供するように構成され得る。ＵＥ１１００は、入出力インターフェース１１０５を介して出力デバイスを使用するように構成され得る。出力デバイスは、入力デバイスと同じタイプのインターフェースポートを使用し得る。たとえば、ＵＥ１１００への入力およびＵＥ１１００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ１１００は、ユーザがＵＥ１１００に情報をキャプチャすることを可能にするために、入出力インターフェース１１０５を介して入力デバイスを使用するように構成され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向性パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１３１】
図１１では、ＲＦインターフェース１１０９は、送信機、受信機、およびアンテナなど、ＲＦ構成要素に通信インターフェースを提供するように構成され得る。ネットワーク接続インターフェース１１１１は、ネットワーク１１４３ａに通信インターフェースを提供するように構成され得る。ネットワーク１１４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク１１４３ａは、Ｗｉ−Ｆｉネットワークを備え得る。ネットワーク接続インターフェース１１１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように構成され得る。ネットワーク接続インターフェース１１１１は、通信ネットワークリンク（たとえば、光学的、電気的など）に適した受信機および送信機機能を実装し得る。送信機および受信機機能は、回路構成要素、ソフトウェアまたはファームウェアを共有し得るか、あるいは、代替的に、別個に実装され得る。
【０１３２】
ＲＡＭ１１１７は、オペレーティングシステム、アプリケーションプログラム、およびデバイスドライバなど、ソフトウェアプログラムの実行中に、データまたはコンピュータ命令の記憶またはキャッシングを提供するために、バス１１０２を介して処理回路１１０１にインターフェースするように構成され得る。ＲＯＭ１１１９は、処理回路１１０１にコンピュータ命令またはデータを提供するように構成され得る。たとえば、ＲＯＭ１１１９は、不揮発性メモリに記憶される、基本入出力（Ｉ／Ｏ）、起動、またはキーボードからのキーストロークの受信など、基本システム機能のための、不変低レベルシステムコードまたはデータを記憶するように構成され得る。記憶媒体１１２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、リムーバブルカートリッジ、またはフラッシュドライブなど、メモリを含むように構成され得る。一例では、記憶媒体１１２１は、オペレーティングシステム１１２３と、ウェブブラウザアプリケーション、ウィジェットまたはガジェットエンジン、あるいは別のアプリケーションなどのアプリケーションプログラム１１２５と、データファイル１１２７とを含むように構成され得る。記憶媒体１１２１は、ＵＥ１１００による使用のために、多様な様々なオペレーティングシステムまたはオペレーティングシステムの組合せのうちのいずれかを記憶し得る。
【０１３３】
記憶媒体１１２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、あるいはそれらの任意の組合せなど、いくつかの物理ドライブユニットを含むように構成され得る。記憶媒体１１２１は、ＵＥ１１００が、一時的または非一時的メモリ媒体に記憶されたコンピュータ実行可能命令、アプリケーションプログラムなどにアクセスすること、データをオフロードすること、あるいはデータをアップロードすることを可能にし得る。通信システムを利用する製造品などの製造品は、記憶媒体１１２１中に有形に具現され得、記憶媒体１１２１はデバイス可読媒体を備え得る。
【０１３４】
図１１では、処理回路１１０１は、通信サブシステム１１３１を使用してネットワーク１１４３ｂと通信するように構成され得る。ネットワーク１１４３ａとネットワーク１１４３ｂとは、同じ１つまたは複数のネットワークまたは異なる１つまたは複数のネットワークであり得る。通信サブシステム１１３１は、ネットワーク１１４３ｂと通信するために使用される１つまたは複数のトランシーバを含むように構成され得る。たとえば、通信サブシステム１１３１は、ＩＥＥＥ８０２．５、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように構成され得る。各トランシーバは、ＲＡＮリンク（たとえば、周波数割り当てなど）に適した送信機機能または受信機機能をそれぞれ実装するための、送信機１１３３および／または受信機１１３５を含み得る。さらに、各トランシーバの送信機１１３３および受信機１１３５は、回路構成要素、ソフトウェアまたはファームウェアを共有し得るか、あるいは、代替的に、別個に実装され得る。
【０１３５】
示されている実施形態では、通信サブシステム１１３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム１１３１は、セルラ通信と、Ｗｉ−Ｆｉ通信と、Ｂｌｕｅｔｏｏｔｈ通信と、ＧＰＳ通信とを含み得る。ネットワーク１１４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク１１４３ｂは、セルラネットワーク、Ｗｉ−Ｆｉネットワーク、および／またはニアフィールドネットワークであり得る。電源１１１３は、ＵＥ１１００の構成要素に交流（ＡＣ）または直流（ＤＣ）電力を提供するように構成され得る。
【０１３６】
本明細書で説明される特徴、利益および／または機能は、ＵＥ１１００の構成要素のうちの１つにおいて実装されるか、またはＵＥ１１００の複数の構成要素にわたって区分され得る。さらに、本明細書で説明される特徴、利益、および／または機能は、ハードウェア、ソフトウェアまたはファームウェアの任意の組合せで実装され得る。一例では、通信サブシステム１１３１は、本明細書で説明される構成要素のうちのいずれかを含むように構成され得る。さらに、処理回路１１０１は、バス１１０２上でそのような構成要素のうちのいずれかと通信するように構成され得る。別の例では、そのような構成要素のうちのいずれかは、処理回路１１０１によって実行されたとき、本明細書で説明される対応する機能を実施する、メモリに記憶されたプログラム命令によって表され得る。別の例では、そのような構成要素のうちのいずれかの機能は、処理回路１１０１と通信サブシステム１１３１との間で区分され得る。別の例では、そのような構成要素のうちのいずれかの非計算集約的機能が、ソフトウェアまたはファームウェアで実装され得、計算集約的機能がハードウェアで実装され得る。
【０１３７】
図１２は、いくつかの実施形態による、例示的な仮想化環境を示す。図１２は、いくつかの実施形態によって実装される機能が仮想化され得る、仮想化環境１２００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１３８】
いくつかの実施形態では、本明細書で説明される機能の一部または全部は、ハードウェアノード１２３０のうちの１つまたは複数によってホストされる１つまたは複数の仮想環境１２００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１３９】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション１２２０によって実装され得る。アプリケーション１２２０は、処理回路１２６０とメモリ１２９０−１とを備えるハードウェア１２３０を提供する、仮想化環境１２００において稼働される。メモリ１２９０−１は、処理回路１２６０によって実行可能な命令１２９５を含んでおり、それにより、アプリケーション１２２０は、本明細書で開示される特徴、利益、および／または機能のうちの１つまたは複数を提供するように動作可能である。
【０１４０】
仮想化環境１２００は、１つまたは複数のプロセッサのセットまたは処理回路１２６０を備える、汎用または専用のネットワークハードウェアデバイス１２３０を備え、１つまたは複数のプロセッサのセットまたは処理回路１２６０は、商用オフザシェルフ（ＣＯＴＳ）プロセッサ、専用の特定用途向け集積回路（ＡＳＩＣ）、あるいは、デジタルもしくはアナログハードウェア構成要素または専用プロセッサを含む任意の他のタイプの処理回路であり得る。各ハードウェアデバイスはメモリ１２９０−１を備え得、メモリ１２９０−１は、処理回路１２６０によって実行される命令１２９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）１２７０を備え得、ネットワークインターフェースコントローラ（ＮＩＣ）１２７０は物理ネットワークインターフェース１２８０を含む。各ハードウェアデバイスは、処理回路１２６０によって実行可能なソフトウェア１２９５および／または命令を記憶した、非一時的、永続的、機械可読記憶媒体１２９０−２をも含み得る。ソフトウェア１２９５は、１つまたは複数の（ハイパーバイザとも呼ばれる）仮想化レイヤ１２５０をインスタンス化するためのソフトウェア、仮想マシン１２４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１４１】
仮想マシン１２４０は、仮想処理、仮想メモリ、仮想ネットワーキングまたはインターフェース、および仮想ストレージを備え、対応する仮想化レイヤ１２５０またはハイパーバイザによって稼働され得る。仮想アプライアンス１２２０の事例の異なる実施形態が、仮想マシン１２４０のうちの１つまたは複数上で実装され得、実装は異なるやり方で行われ得る。
【０１４２】
動作中に、処理回路１２６０は、ソフトウェア１２９５を実行してハイパーバイザまたは仮想化レイヤ１２５０をインスタンス化し、ハイパーバイザまたは仮想化レイヤ１２５０は、時々、仮想マシンモニタ（ＶＭＭ）と呼ばれることがある。仮想化レイヤ１２５０は、仮想マシン１２４０に、ネットワーキングハードウェアのように見える仮想動作プラットフォームを提示し得る。
【０１４３】
図１２に示されているように、ハードウェア１２３０は、一般的なまたは特定の構成要素をもつスタンドアロンネットワークノードであり得る。ハードウェア１２３０は、アンテナ１２２２５を備え得、仮想化を介していくつかの機能を実装し得る。代替的に、ハードウェア１２３０は、多くのハードウェアノードが協働し、特に、アプリケーション１２２０のライフサイクル管理を監督する、管理およびオーケストレーション（ＭＡＮＯ）１２１００を介して管理される、（たとえば、データセンタまたは顧客構内機器（ＣＰＥ）の場合のような）ハードウェアのより大きいクラスタの一部であり得る。
【０１４４】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理ストレージ上にコンソリデートするために使用され得る。
【０１４５】
ＮＦＶのコンテキストでは、仮想マシン１２４０は、プログラムを、それらのプログラムが、物理的な仮想化されていないマシン上で実行しているかのように稼働する、物理マシンのソフトウェア実装形態であり得る。仮想マシン１２４０の各々と、その仮想マシンに専用のハードウェアであろうと、および／またはその仮想マシンによって仮想マシン１２４０のうちの他の仮想マシンと共有されるハードウェアであろうと、その仮想マシンを実行するハードウェア１２３０のその一部とは、別個の仮想ネットワークエレメント（ＶＮＥ）を形成する。
【０１４６】
さらにＮＦＶのコンテキストでは、仮想ネットワーク機能（ＶＮＦ）は、ハードウェアネットワーキングインフラストラクチャ１２３０の上の１つまたは複数の仮想マシン１２４０において稼働する固有のネットワーク機能をハンドリングすることを担当し、図１２中のアプリケーション１２２０に対応する。
【０１４７】
いくつかの実施形態では、各々、１つまたは複数の送信機１２２２０と１つまたは複数の受信機１２２１０とを含む、１つまたは複数の無線ユニット１２２００は、１つまたは複数のアンテナ１２２２５に結合され得る。無線ユニット１２２００は、１つまたは複数の適切なネットワークインターフェースを介してハードウェアノード１２３０と直接通信し得、無線アクセスノードまたは基地局など、無線能力をもつ仮想ノードを提供するために仮想構成要素と組み合わせて使用され得る。
【０１４８】
いくつかの実施形態では、何らかのシグナリングが、ハードウェアノード１２３０と無線ユニット１２２００との間の通信のために代替的に使用され得る制御システム１２２３０を使用して、影響を及ぼされ得る。
【０１４９】
図１３は、いくつかの実施形態による、中間ネットワークを介してホストコンピュータに接続された例示的な通信ネットワークを示す。図１３を参照すると、一実施形態によれば、通信システムが、無線アクセスネットワークなどのアクセスネットワーク１３１１とコアネットワーク１３１４とを備える、３ＧＰＰタイプセルラネットワークなどの通信ネットワーク１３１０を含む。アクセスネットワーク１３１１は、ＮＢ、ｅＮＢ、ｇＮＢまたは他のタイプの無線アクセスポイントなど、複数の基地局１３１２ａ、１３１２ｂ、１３１２ｃを備え、各々が、対応するカバレッジエリア１３１３ａ、１３１３ｂ、１３１３ｃを規定する。各基地局１３１２ａ、１３１２ｂ、１３１２ｃは、有線接続または無線接続１３１５上でコアネットワーク１３１４に接続可能である。カバレッジエリア１３１３ｃ中に位置する第１のＵＥ１３９１が、対応する基地局１３１２ｃに無線で接続するか、または対応する基地局１３１２ｃによってページングされるように構成される。カバレッジエリア１３１３ａ中の第２のＵＥ１３９２が、対応する基地局１３１２ａに無線で接続可能である。この例では複数のＵＥ１３９１、１３９２が示されているが、開示される実施形態は、唯一のＵＥがカバレッジエリア中にある状況、または唯一のＵＥが対応する基地局１３１２に接続している状況に等しく適用可能である。いくつかの実施形態では、複数のＵＥ１３９１、１３９２は、図２３および図２６に関して説明されるユーザ機器であり得る。
【０１５０】
通信ネットワーク１３１０は、それ自体、ホストコンピュータ１３３０に接続され、ホストコンピュータ１３３０は、スタンドアロンサーバ、クラウド実装サーバ、分散サーバのハードウェアおよび／またはソフトウェアにおいて、あるいはサーバファーム中の処理リソースとして具現され得る。ホストコンピュータ１３３０は、サービスプロバイダの所有または制御下にあり得、あるいはサービスプロバイダによってまたはサービスプロバイダに代わって動作され得る。通信ネットワーク１３１０とホストコンピュータ１３３０との間の接続１３２１および１３２２は、コアネットワーク１３１４からホストコンピュータ１３３０に直接延び得るか、または随意の中間ネットワーク１３２０を介して進み得る。中間ネットワーク１３２０は、パブリックネットワーク、プライベートネットワーク、またはホストされたネットワークのうちの１つ、またはそれらのうちの２つ以上の組合せであり得、中間ネットワーク１３２０は、もしあれば、バックボーンネットワークまたはインターネットであり得、特に、中間ネットワーク１３２０は、２つまたはそれ以上のサブネットワーク（図示せず）を備え得る。
【０１５１】
図１３の通信システムは全体として、接続されたＵＥ１３９１、１３９２とホストコンピュータ１３３０との間のコネクティビティを可能にする。コネクティビティは、オーバーザトップ（ＯＴＴ）接続１３５０として説明され得る。ホストコンピュータ１３３０および接続されたＵＥ１３９１、１３９２は、アクセスネットワーク１３１１、コアネットワーク１３１４、任意の中間ネットワーク１３２０、および考えられるさらなるインフラストラクチャ（図示せず）を媒介として使用して、ＯＴＴ接続１３５０を介して、データおよび／またはシグナリングを通信するように構成される。ＯＴＴ接続１３５０は、ＯＴＴ接続１３５０が通過する、参加する通信デバイスが、アップリンクおよびダウンリンク通信のルーティングに気づいていないという意味で、透過的であり得る。たとえば、基地局１３１２は、接続されたＵＥ１３９１にフォワーディング（たとえば、ハンドオーバ）されるべき、ホストコンピュータ１３３０から発生したデータを伴う着信ダウンリンク通信の過去のルーティングについて、知らされないことがあるかまたは知らされる必要がない。同様に、基地局１３１２は、ＵＥ１３９１から発生してホストコンピュータ１３３０に向かう発信アップリンク通信の将来のルーティングに気づいている必要がない。
【０１５２】
図１４は、いくつかの実施形態による、部分的無線接続上で基地局を介してユーザ機器と通信する例示的なホストコンピュータを示す。次に、一実施形態による、前の段落において説明されたＵＥ、基地局およびホストコンピュータの例示的な実装形態が、図１４を参照しながら説明される。通信システム１４００では、ホストコンピュータ１４１０が、通信システム１４００の異なる通信デバイスのインターフェースとの有線接続または無線接続をセットアップおよび維持するように構成された通信インターフェース１４１６を含む、ハードウェア１４１５を備える。ホストコンピュータ１４１０は、記憶能力および／または処理能力を有し得る、処理回路１４１８をさらに備える。特に、処理回路１４１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ１４１０は、ホストコンピュータ１４１０に記憶されるかまたはホストコンピュータ１４１０によってアクセス可能であり、処理回路１４１８によって実行可能である、ソフトウェア１４１１をさらに備える。ソフトウェア１４１１は、ホストアプリケーション１４１２を含む。ホストアプリケーション１４１２は、ＵＥ１４３０およびホストコンピュータ１４１０において終端するＯＴＴ接続１４５０を介して接続するＵＥ１４３０など、リモートユーザにサービスを提供するように動作可能であり得る。リモートユーザにサービスを提供する際に、ホストアプリケーション１４１２は、ＯＴＴ接続１４５０を使用して送信されるユーザデータを提供し得る。
【０１５３】
通信システム１４００は、通信システム中に提供される基地局１４２０をさらに含み、基地局１４２０は、基地局１４２０がホストコンピュータ１４１０およびＵＥ１４３０と通信することを可能にするハードウェア１４２５を備える。いくつかの実施形態では、ＵＥ１４３０は、図２３および図２６に関して説明されるユーザ機器であり得る。ハードウェア１４２５は、通信システム１４００の異なる通信デバイスのインターフェースとの有線接続または無線接続をセットアップおよび維持するための通信インターフェース１４２６、ならびに基地局１４２０によってサーブされるカバレッジエリア（図１４に図示せず）中に位置するＵＥ１４３０との少なくとも無線接続１４７０をセットアップおよび維持するための無線インターフェース１４２７を含み得る。通信インターフェース１４２６は、ホストコンピュータ１４１０への接続１４６０を容易にするように構成され得る。接続１４６０は直接であり得るか、あるいは、接続１４６０は、通信システムのコアネットワーク（図１４に図示せず）を、および／または通信システムの外部の１つまたは複数の中間ネットワークを通過し得る。図示の実施形態では、基地局１４２０のハードウェア１４２５は、処理回路１４２８をさらに含み、処理回路１４２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局１４２０は、内部的に記憶されるかまたは外部接続を介してアクセス可能なソフトウェア１４２１をさらに有する。
【０１５４】
通信システム１４００は、すでに言及されたＵＥ１４３０をさらに含む。いくつかの実施形態では、ＵＥ１４３０は、図２３および図２６に関して説明されるユーザ機器であり得る。ＵＥ１４３０のハードウェア１４３５は、ＵＥ１４３０が現在位置するカバレッジエリアをサーブする基地局との無線接続１４７０をセットアップおよび維持するように構成された、無線インターフェース１４３７を含み得る。ＵＥ１４３０のハードウェア１４３５は、処理回路１４３８をさらに含み、処理回路１４３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ１４３０は、ＵＥ１４３０に記憶されるかまたはＵＥ１４３０によってアクセス可能であり、処理回路１４３８によって実行可能である、ソフトウェア１４３１をさらに備える。ソフトウェア１４３１はクライアントアプリケーション１４３２を含む。クライアントアプリケーション１４３２は、ホストコンピュータ１４１０のサポートのもとに、ＵＥ１４３０を介して人間のまたは人間でないユーザにサービスを提供するように動作可能であり得る。ホストコンピュータ１４１０では、実行しているホストアプリケーション１４１２は、ＵＥ１４３０およびホストコンピュータ１４１０において終端するＯＴＴ接続１４５０を介して、実行しているクライアントアプリケーション１４３２と通信し得る。ユーザにサービスを提供する際に、クライアントアプリケーション１４３２は、ホストアプリケーション１４１２から要求データを受信し、要求データに応答してユーザデータを提供し得る。ＯＴＴ接続１４５０は、要求データとユーザデータの両方を転送し得る。クライアントアプリケーション１４３２は、クライアントアプリケーション１４３２が提供するユーザデータを生成するためにユーザと対話し得る。
【０１５５】
図１４に示されているホストコンピュータ１４１０、基地局１４２０およびＵＥ１４３０は、それぞれ、図１３のホストコンピュータ１３３０、基地局１３１２ａ、１３１２ｂ、１３１２ｃのうちの１つ、およびＵＥ１３９１、１３９２のうちの１つと同様または同等であり得ることに留意されたい。つまり、これらのエンティティの内部の働きは、図１４に示されているようなものであり得、別個に、周囲のネットワークトポロジーは、図１３のものであり得る。
【０１５６】
図１４では、ＯＴＴ接続１４５０は、仲介デバイスとこれらのデバイスを介したメッセージの正確なルーティングとへの明示的言及なしに、基地局１４２０を介したホストコンピュータ１４１０とＵＥ１４３０との間の通信を示すために抽象的に描かれている。ネットワークインフラストラクチャが、ルーティングを決定し得、ネットワークインフラストラクチャは、ＵＥ１４３０からまたはホストコンピュータ１４１０を動作させるサービスプロバイダから、またはその両方からルーティングを隠すように構成され得る。ＯＴＴ接続１４５０がアクティブである間、ネットワークインフラストラクチャは、さらに、ネットワークインフラストラクチャが（たとえば、ネットワークの負荷分散考慮または再構成に基づいて）ルーティングを動的に変更する判定を行い得る。
【０１５７】
ＵＥ１４３０と基地局１４２０との間の無線接続１４７０は、本開示全体にわたって説明される実施形態の教示に従う。様々な実施形態のうちの１つまたは複数は、無線接続１４７０が最後のセグメントを形成するＯＴＴ接続１４５０を使用して、ＵＥ１４３０に提供されるＯＴＴサービスの性能を改善する。より正確には、これらの実施形態の教示は、送信バッファ中の冗長データのハンドリングを改善し、それにより、無線リソース使用の効率の改善（たとえば、冗長データを送信しないこと）ならびに新しいデータを受信する際の遅延の低減（たとえば、バッファ中の冗長データを削除することによって、新しいデータがより早く送信され得る）など、利益を提供し得る。
【０１５８】
１つまたは複数の実施形態が改善する、データレート、レイテンシおよび他のファクタを監視する目的での、測定プロシージャが提供され得る。測定結果の変動に応答して、ホストコンピュータ１４１０とＵＥ１４３０との間のＯＴＴ接続１４５０を再構成するための随意のネットワーク機能がさらにあり得る。測定プロシージャおよび／またはＯＴＴ接続１４５０を再構成するためのネットワーク機能は、ホストコンピュータ１４１０のソフトウェア１４１１およびハードウェア１４１５でまたはＵＥ１４３０のソフトウェア１４３１およびハードウェア１４３５で、またはその両方で実装され得る。実施形態では、ＯＴＴ接続１４５０が通過する通信デバイスにおいてまたはそれに関連して、センサー（図示せず）が展開され得、センサーは、上記で例示された監視された量の値を供給すること、またはソフトウェア１４１１、１４３１が監視された量を算出または推定し得る他の物理量の値を供給することによって、測定プロシージャに参加し得る。ＯＴＴ接続１４５０の再構成は、メッセージフォーマット、再送信セッティング、好ましいルーティングなどを含み得、再構成は、基地局１４２０に影響を及ぼす必要がなく、再構成は、基地局１４２０に知られていないかまたは知覚不可能であり得る。そのようなプロシージャおよび機能は、当技術分野において知られ、実施され得る。いくつかの実施形態では、測定は、スループット、伝搬時間、レイテンシなどのホストコンピュータ１４１０の測定を容易にするプロプライエタリＵＥシグナリングを伴い得る。測定は、ソフトウェア１４１１および１４３１が、ソフトウェア１４１１および１４３１が伝搬時間、エラーなどを監視する間にＯＴＴ接続１４５０を使用して、メッセージ、特に空のまたは「ダミー」メッセージが送信されることを引き起こすことにおいて、実装され得る。
【０１５９】
図１５は、いくつかの実施形態による、ホストコンピュータと、基地局と、ユーザ機器とを含む通信システムにおいて実装される例示的な方法を示す。より詳細には、図１５は、一実施形態による、通信システムにおいて実装される方法を示すフローチャートである。通信システムは、ホストコンピュータと、図２３および図２７を参照しながら説明されるネットワークノードであり得る基地局と、図２３および図２６を参照しながら説明されるユーザ機器であり得るＵＥとを含む。本開示の簡単のために、図１５への図面参照のみがこのセクションに含まれる。ステップ１５１０において、ホストコンピュータはユーザデータを提供する。ステップ１５１０の（随意であり得る）サブステップ１５１１において、ホストコンピュータは、ホストアプリケーションを実行することによって、ユーザデータを提供する。ステップ１５２０において、ホストコンピュータは、ＵＥにユーザデータを搬送する送信を始動する。（随意であり得る）ステップ１５３０において、基地局は、本開示全体にわたって説明される実施形態の教示に従って、ホストコンピュータが始動した送信において搬送されたユーザデータをＵＥに送信する。（また、随意であり得る）ステップ１５４０において、ＵＥは、ホストコンピュータによって実行されるホストアプリケーションに関連するクライアントアプリケーションを実行する。
【０１６０】
図１６は、いくつかの実施形態による、ホストコンピュータと、基地局と、ユーザ機器とを含む通信システムにおいて実装される例示的な方法を示す。より詳細には、図１６は、一実施形態による、通信システムにおいて実装される方法を示すフローチャートである。通信システムは、ホストコンピュータと、図２３および図２７を参照しながら説明されるネットワークノードであり得る基地局と、図２３および図２６を参照しながら説明されるユーザ機器であり得るＵＥとを含む。本開示の簡単のために、図１６への図面参照のみがこのセクションに含まれる。方法のステップ１６１０において、ホストコンピュータはユーザデータを提供する。随意のサブステップ（図示せず）において、ホストコンピュータは、ホストアプリケーションを実行することによって、ユーザデータを提供する。ステップ１６２０において、ホストコンピュータは、ＵＥにユーザデータを搬送する送信を始動する。送信は、本開示全体にわたって説明される実施形態の教示に従って、基地局を介して進み得る。（随意であり得る）ステップ１６３０において、ＵＥは、送信において搬送されたユーザデータを受信する。
【０１６１】
図１７は、いくつかの実施形態による、ホストコンピュータと、基地局と、ユーザ機器とを含む通信システムにおいて実装される別のさらなる例示的な方法を示す。より詳細には、図１７は、一実施形態による、通信システムにおいて実装される方法を示すフローチャートである。通信システムは、ホストコンピュータと、図２３および図２７を参照しながら説明されるネットワークノードであり得る基地局と、図２３および図２６を参照しながら説明されるユーザ機器であり得るＵＥとを含む。本開示の簡単のために、図１７への図面参照のみがこのセクションに含まれる。（随意であり得る）ステップ１７１０において、ＵＥは、ホストコンピュータによって提供された入力データを受信する。追加または代替として、ステップ１７２０において、ＵＥはユーザデータを提供する。ステップ１７２０の（随意であり得る）サブステップ１７２１において、ＵＥは、クライアントアプリケーションを実行することによって、ユーザデータを提供する。ステップ１７１０の（随意であり得る）サブステップ１７１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１７３０において、ホストコンピュータへのユーザデータの送信を始動する。方法のステップ１７４０において、ホストコンピュータは、本開示全体にわたって説明される実施形態の教示に従って、ＵＥから送信されたユーザデータを受信する。
【０１６２】
図１８は、いくつかの実施形態による、ホストコンピュータと、基地局と、ユーザ機器とを含む通信システムにおいて実装される別の例示的な方法を示す。より詳細には、図１８は、一実施形態による、通信システムにおいて実装される方法を示すフローチャートである。通信システムは、ホストコンピュータと、基地局と、ＵＥとを含む。一実施形態では、基地局は、図２３および図２７を参照しながら説明されるネットワークノードであり得る。一実施形態では、ＵＥは、図２３および図２６を参照しながら説明されるユーザ機器であり得る。本開示の簡単のために、図１８への図面参照のみがこのセクションに含まれる。（随意であり得る）ステップ１８１０において、本開示全体にわたって説明される実施形態の教示に従って、基地局は、ＵＥからユーザデータを受信する。（随意であり得る）ステップ１８２０において、基地局は、ホストコンピュータへの、受信されたユーザデータの送信を始動する。（随意であり得る）ステップ１８３０において、ホストコンピュータは、基地局によって始動された送信において搬送されたユーザデータを受信する。
【０１６３】
図１９は、特定の実施形態による、ＵＥにおいて実施される例示的な方法を示す。フローチャートは、ＵＥまたは無線デバイスの観点からの方法のいくつかのステップを示す。方法は、ステップ１９０２において始まり、ＵＥは、第１の無線ノードによって送信された第１のＰＲＳを受信する。
【０１６４】
ステップ１９０４において、ＵＥは、第１の無線ノードによって送信された第１のＰＲＳに対して１つまたは複数の測定を実施する。測定は、受信されたＰＲＳの品質（たとえば、信号強度、雑音など）を確認し得る。いくつかの実施形態では、測定は、１つまたは複数のＰＲＳについての１つまたは複数の到達時間の推定を含み得る。いくつかの実施形態では、第１の無線ノードは、ロケーションノードまたは基地局であり得る。
【０１６５】
ステップ１９０６において、ＵＥは、第１の無線ノードに、ＰＲＳの測定された品質に関するフィードバックを提供する。いくつかの実施形態では、ＵＥが位置する環境についての情報が、フィードバックとともに提供され得る。
【０１６６】
ステップ１９０８において、ＵＥは、ＰＲＳ構成を含むメッセージを受信する。ＰＲＳ構成をもつメッセージは、専用、マルチキャスト、オンデマンドブロードキャスト、またはブロードキャストシグナリング、あるいはシステム情報を介して受信され得る。ＰＲＳ構成は、第１の無線ノードによって送信されることになる１つまたは複数の追加のＰＲＳを指定し得る。これらの追加のＰＲＳは、ステップ１９０２において受信された第１のＰＲＳとは異なる信号特性を有し得る。いくつかの実施形態では、１つまたは複数の追加のＰＲＳの特性は、ステップ１９０６においてネットワークノードに提供されたフィードバックに基づく。
【０１６７】
ステップ１９１０において、ＵＥは、ステップ１９０８において受信されたＰＲＳ構成に基づいて、１つまたは複数の追加のＰＲＳを受信する。ここから、方法は、追加のＰＲＳに関してのみステップ１９０４〜１９０８を繰り返し得る。いくつかの実施形態では、追加のＰＲＳは、ＵＥが、ＰＲＳを求める要求メッセージを送出したことに応答して、受信され得る。いくつかの実施形態では、要求は、複数のサブフレームまたはオケージョンのために構成されたＰＲＳをさらに求め得る。
【０１６８】
示されていないが、いくつの実施形態では、方法は、ユーザデータを提供することと、基地局への送信を介してホストコンピュータにユーザデータをフォワーディングすることとをも含み得る。
【０１６９】
図２０は、特定の実施形態による、ネットワークノードにおいて実施される例示的な方法を示す。フローチャートは、ネットワークノード（たとえば、ｅＮＢなどの無線ノード、またはロケーションノードなどのコアネットワークノード）の観点からの方法のいくつかのステップを示す。方法は、ステップ２００２において始まり、ネットワークノードは、特定のＵＥにＰＲＳ構成を割り振るようにとの要求を受信する。いくつかの実施形態では、このステップは、ＵＥがすでに第１のＰＲＳ構成を提供された後に、行われ得る。要求はＵＥから直接受信され得るか、または、要求は、ＵＥから要求を受信した無線ノードから受信され得る。
【０１７０】
ステップ２００４において、ネットワークノードは、静的ＰＲＳ構成を使用すべきなのか、動的ＰＲＳ構成を使用すべきなのかを決定する。いくつかの実施形態では、ネットワークノードは、動的ＰＲＳ構成と静的ＰＲＳ構成との組合せを使用することを決定し得る。実施形態に応じて、決定は、セル中のＵＥの総数、セルによってサーブされ、セルのＰＲＳを使用するように構成された、ＵＥの数、あるいは、このセルまたはネイバリングセルによってサーブされ、このセルのＰＲＳを使用するように構成された、ＵＥの数などのファクタに基づいて行われ得る。
【０１７１】
ステップ２００６において、ネットワークノードは、ＰＲＳのための帯域幅を割り当てる。帯域幅は、干渉するネイバリングセルからのＰＲＳ帯域幅との重複を最小限に抑えるように割り当てられ得る。いくつかの実施形態では、帯域幅は、他のＰＲＳとの時間および周波数における重複を回避するように割り当てられ得る。
【０１７２】
ステップ２００８において、ネットワークノードは、ＵＥのためのＰＲＳ構成を提供する。ＰＲＳ構成は、無線ノードに提供されて、次いで、ＵＥに送信され得るか、または、ネットワークノードが無線ノードである場合、ＰＲＳ構成はＵＥに直接提供され得る。更新されたＰＲＳ構成は、第１のＰＲＳ構成とは異なり得る。
【０１７３】
図２１は、特定の実施形態による、無線ネットワークノードにおいて実施される例示的な方法を示す。フローチャートは、無線ネットワークノード（たとえば、ｅＮＢ）の観点からの方法のいくつかのステップを示す。方法は、図２０のステップのうちのいずれかを含み得る。方法は、ステップ２１０２において始まり、ネットワークノードは、１つまたは複数のＰＲＳを送信する。
【０１７４】
ステップ２１０４において、ネットワークノードは、第１のＰＲＳ構成を提供する。いくつかの実施形態では、ステップ２１０４とステップ２１０２とは逆にされ得る。ＰＲＳ構成は、ＵＥとの無線接続を介して提供され得る。ＰＲＳ構成は、オンデマンドブロードキャスト、ブロードキャスト、マルチキャスト、または専用シグナリング、あるいはシステム情報のうちの１つを介して提供され得る。
【０１７５】
ステップ２１０６において、ネットワークノードは、ＵＥから、ＰＲＳの品質に関するフィードバックを受信する。フィードバックは、ＰＲＳの品質の様々な測定を含み得る。ネットワークノードは、受信された相互相関係数に基づいて、フィードバック上で測定を構成し得る。いくつかの実施形態では、ネットワークノードは、より高い相互相関係数に関係する測定が、より良好な測位正確さのために優先されると決定し得る。いくつかの実施形態では、ネットワークノードは、測定を順次降順で構成し得る。いくつかのシナリオでは、ネットワークノードは、１つまたは複数の測定を廃棄し得る。これは、しきい値よりも不良な相互相関係数を生じるセルからのＰＲＳを使用して行われ得る。いくつかの実施形態では、フィードバックはＯＴＤＯＡを含み得る。ネットワークノードは、ＰＲＳ品質に関する、ＵＥから受信されたフィードバックに基づいて、ネイバリングセルリストのＯＴＤＯＡを作成または分類し得る。
【０１７６】
ステップ２１０８において、ネットワークノードは、１つまたは複数のＵＥのためのＰＲＳ構成を更新するようにとの要求を受信する。
【０１７７】
ステップ２１１０において、ネットワークノードは、動的に適応されたＰＲＳ構成を取得する。適応されたＰＲＳ構成は、ロケーションノードから取得され得る。いくつかの実施形態では、ＰＲＳ構成は、ロケーションノードからのメッセージの受信を介して受信され得る。いくつかの実施形態では、ＰＲＳ構成は、ネットワークノードによって行われた決定／計算を通して取得され得る。いくつかの実施形態では、ネットワークノードは、より良好な相互相関係数を有するセルを識別し、識別されたセルに、より多くのＰＲＳリソースを割り当て得る。いくつかの実施形態では、より良好な相互相関係数を有するセルは、その相互相関係数がしきい値を上回るセルであり得るか、または、より良好な相互相関係数を有するセルは、その相互相関係数が上位「Ｘ」パーセントのセルにおけるものであるものであり得、ここで、「Ｘ」は、０％から１００％の間の値である（たとえば、上位２５％）。いくつかの実施形態では、ネットワークノードはまた、ステップ２００６などにおいて、ＰＲＳのための帯域幅を割り当て得る。
【０１７８】
いくつかの実施形態では、ステップ２１１０より前に、ネットワークノードは、最初に、静的ＰＲＳ構成を使用すべきなのか、動的ＰＲＳ構成を使用すべきなのか、静的部分と動的部分の両方の組合せを使用すべきなのかを決定し得る。この決定は、セル中のＵＥの総数、セルによってサーブされ、セルのＰＲＳを使用するように構成された、ＵＥの数、あるいは、このセルまたはネイバリングセルによってサーブされ、このセルのＰＲＳを使用するように構成された、ＵＥの数などのファクタに基づき得る。
【０１７９】
ステップ２１１２において、ネットワークノードは、ＵＥに、適応されたＰＲＳを提供する。適応されたＰＲＳを提供するより前に、ネットワークノードは、最初に、フィードバックに基づいて、ＵＥに、更新されたＰＲＳ構成を提供し得る。更新されたＰＲＳ構成は、第１のＰＲＳ構成とは異なり、ステップ２１１２において提供された適応されたＰＲＳについての詳細を提供する。
【０１８０】
図２２は、特定の実施形態による、ロケーションネットワークノードにおいて実施される例示的な方法を示す。フローチャートは、ロケーションネットワークノードの観点からの方法のいくつかのステップを示す。方法は、図２０のステップのうちのいずれかを含み得る。方法は、ステップ２２０２において始まり、ネットワークノードは、第１のＰＲＳ構成を提供する。第１のＰＲＳ構成は、ロケーションネットワークノードから無線ネットワークノードに提供され、次いで、無線ネットワークノードからＵＥに送信され得る。
【０１８１】
ステップ２２０４において、ネットワークノードは、無線ネットワークノードから、ＰＲＳに関するＵＥフィードバックを受信する。すなわち、無線ネットワークノードは、ＵＥフィードバックを受信し、次いで、ロケーションネットワークノードにそのフィードバックをフォワーディングまたは送信し得る。ネットワークノードは、受信された相互相関係数に基づいて、フィードバックにおいて測定を構成し得る。より高い相互相関係数に関係する測定が、より良好な測位正確さのために優先され得る。いくつかの実施形態では、測定は、順次降順で構成され得る。いくつかの実施形態では、ネットワークノードは、しきい値よりも不良な相互相関係数を生じるセルからのＰＲＳを使用して（に基づいて）行われる測定を廃棄し得る。
【０１８２】
ステップ２２０６において、ネットワークノードは、ＰＲＳ構成を更新するようにとの要求を受信する。要求は、特定のＵＥまたは複数のＵＥ（たとえば、特定のセルのＵＥの全部または一部）についてのものであり得る。要求は、１つまたは複数のＵＥからまたは無線ネットワークノードから発生していることがある。
【０１８３】
ステップ２２０８において、ネットワークノードはＰＲＳ構成を動的に適応させる。この適応されたまたは更新されたＰＲＳ構成は、ＵＥからのフィードバックに基づいて決定され得る。更新されたＰＲＳ構成は、第１のＰＲＳ構成とは異なる。いくつかの実施形態では、ネットワークノードはまた、ステップ２００６などにおいて、ＰＲＳのための帯域幅を割り当て得る。いくつかの実施形態では、ネットワークノードは、より良好な相互相関係数を有するセルを識別し、識別されたセルに、より多くのＰＲＳリソースを割り当て得る。いくつかの実施形態では、より良好な相互相関係数を有するセルは、しきい値を上回るものである。いくつかの実施形態では、より良好な相互相関係数を有するセルは、上位「Ｘ」パーセントのセルであり、ここで、「Ｘ」は、０％から１００％の間の値、たとえば２５％である。
【０１８４】
いくつかの実施形態では、ネットワークノードは、静的ＰＲＳ構成を使用すべきなのか、動的ＰＲＳ構成を使用すべきなのか、静的部分と動的部分の両方の組合せを使用すべきなのかを決定し得る。決定は、セル中のＵＥの総数、セルによってサーブされ、セルのＰＲＳを使用するように構成された、ＵＥの数、あるいは、このセルまたはネイバリングセルによってサーブされ、このセルのＰＲＳを使用するように構成された、ＵＥの数などのファクタに基づき得る。
【０１８５】
ステップ２２１０において、ネットワークノードは、無線ネットワークノードに、適応されたＰＲＳ構成を提供する。
【０１８６】
図２０〜図２２には示されていないが、これらの方法のうちのいずれかは、ユーザデータを取得することと、ホストコンピュータまたはＵＥにユーザデータをフォワーディングすることとをさらに含み得る。
【０１８７】
図２３は、いくつかの実施形態による、ネットワーク中の例示的な仮想化装置を示す。ネットワークは、無線ネットワーク（たとえば、図１０に示されている無線ネットワーク）において使用され得る、ＵＥ２３００とネットワークノード２３３０とを備える。ＵＥ２３００およびネットワークノード２３３０は、上記のフローチャートを参照しながら説明された例示的な方法、および、場合によっては、本明細書で開示される任意の他のプロセスまたは方法を行うように動作可能であり得る。その方法の少なくともいくつかの動作は、１つまたは複数の他のエンティティによって実施され得る。
【０１８８】
ＵＥ２３００およびネットワークノード２３３０は、１つまたは複数のマイクロプロセッサまたはマイクロコントローラを含み得る、それら自体の別個の処理回路、ならびに、デジタル信号プロセッサ（ＤＳＰ）、専用デジタル論理などを含み得る、他のデジタルハードウェアを備え得る。処理回路は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように構成され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、様々な示されるユニット、および他の好適なユニットに、本開示の１つまたは複数の実施形態による、対応する機能を実施させるために使用され得る。
【０１８９】
図２３に示されているように、ＵＥ２３００は、受信機ユニット２３０２と、フィードバックユニット２３０４と、ＰＲＳ構成ユニット２３０６と、測定ユニット２３０８と、送信ユニット２３１０と、推定ユニット２３１２とを含む。
【０１９０】
受信機ユニット２３０２は、ネットワークノード２３３０など、第１の無線ノードによって送信された、第１のＰＲＳならびに追加のＰＲＳを受信するように構成される。受信機ユニット２３０２は、ＰＲＳ構成を含むメッセージを受信するようにも構成される。ＰＲＳ構成は、第１の無線ノードによって送信されるべき１つまたは複数の追加のＰＲＳを指定する。受信されたＰＲＳ構成は、第１のＰＲＳとは異なる特性を有するＰＲＳを指定し得、１つまたは複数の追加のＰＲＳの特性は、ネットワークノードに提供されたフィードバックに基づく。ＰＲＳ構成は、専用、マルチキャスト、オンデマンドブロードキャスト、またはブロードキャストシグナリング、あるいはシステム情報を介して受信され得る。
【０１９１】
フィードバックユニット２３０４は、ＰＲＳの品質に関してネットワークノードにフィードバックを提供するように構成される。フィードバックユニット２３０４は、ＵＥ２３００が位置する環境についての情報をフィードバックに含めるようにさらに構成され得る。
【０１９２】
ＰＲＳ構成ユニット２３０６は、ＰＲＳを受信するようにＵＥ２３００を構成するように構成される。
【０１９３】
測定ユニット２３０８は、受信されたＰＲＳの品質を示す１つまたは複数の測定を実施するように構成される。
【０１９４】
送信ユニット２３１０は、複数のサブフレームまたはオケージョンのために構成されたＰＲＳを求める要求メッセージを送出するように構成される。送信ユニット２３１０は、フィードバックを送信するようにも構成される。
【０１９５】
推定ユニット２３１２は、１つまたは複数のＰＲＳについての１つまたは複数の到達時間を推定するように構成される。
【０１９６】
図２３に示されているように、ネットワークノード２３３０は、ＰＲＳ構成ユニット２３３２と、受信機ユニット２３３４と、割り当てユニット２３３６と、送信機ユニット２３３８と、測定構成ユニット２３４０と、測定廃棄ユニット２３４２と、セル識別ユニット２３４４とを含む。ネットワークノード２３３０は、無線ネットワークノード、ロケーションネットワークノード、またはその２つの組合せであり得る。単一のボックスにおいて示されているが、これらのユニットは、複数のボックスの間で分割され得る。たとえば、ネットワークノード２３３０は、すべてのユニットを有する無線基地局であり得るか、または、ネットワークノード２３３０は、いくつかのユニットを有する無線基地局であり得、ロケーションノードは、他のユニットを有する。
【０１９７】
ＰＲＳ構成ユニット２３３２は、ＵＥ２３００など、ＵＥのための第１のＰＲＳ構成を提供するように構成される。ＰＲＳ構成ユニット２３３２は、ＵＥから受信されたフィードバックに基づいて、更新されたＰＲＳ構成を提供するようにも構成される。更新されたＰＲＳ構成は、第１のＰＲＳ構成とは異なる。いくつかの実施形態では、ＰＲＳ構成ユニット２３３２は、静的ＰＲＳ構成を使用すべきなのか、動的ＰＲＳ構成を使用すべきなのか、静的部分と動的部分の両方の組合せを使用すべきなのかを決定するように構成される。これは、セル中のＵＥの総数、セルによってサーブされ、セルのＰＲＳを使用するように構成された、ＵＥの数、あるいは、このセルまたはネイバリングセルによってサーブされ、このセルのＰＲＳを使用するように構成された、ＵＥの数などのファクタに基づいて決定され得る。
【０１９８】
受信機ユニット２３３４は、ＵＥから、ＰＲＳに関するフィードバックを受信するように構成される。ある実施形態では、受信機ユニット２３３４は、特定のＵＥにＰＲＳ構成を割り振るようにとの要求を受信するようにも構成され得る。
【０１９９】
割り当てユニット２３３６は、ＰＲＳのための帯域幅を割り当てるように構成され、帯域幅は、干渉するネイバリングセルからのＰＲＳ帯域幅との重複を最小限に抑えるように割り当てられる。いくつかの実施形態では、帯域幅を割り当てることは、他のＰＲＳとの時間および周波数における重複を回避することを含み得る。
【０２００】
送信機ユニット２３３８は、ＵＥにＰＲＳを提供するように構成される。送信機ユニット２３３８は、ＰＲＳ構成を送信するようにも構成され得る。たとえば、送信機ユニット２３３８は、オンデマンドブロードキャスト、ブロードキャスト、マルチキャスト、または専用シグナリング、あるいはシステム情報のうちの１つを使用して、ＵＥにＰＲＳを送信し得る。
【０２０１】
測定構成ユニット２３４０は、受信された相互相関係数に基づいて、フィードバックにおいて測定を構成するように構成される。いくつかの実施形態では、測定構成ユニット２３４０は、より良好な測位正確さのために、より高い相互相関係数に関係する測定を優先し得る。いくつかの実施形態では、測定は、順次降順で構成され得る。
【０２０２】
測定廃棄ユニット２３４２は、しきい値よりも不良な相互相関係数を生じるセルからの測定を廃棄するように構成される。
【０２０３】
セル識別ユニット２３４４は、より良好な相互相関係数を有するセルを識別し、識別されたセルに、より多くのＰＲＳリソースを割り当てるように構成される。いくつかの実施形態では、より良好な相互相関係数を有するセルは、しきい値を上回るものである。いくつかの実施形態では、より良好な相互相関係数を有するセルは、上位「Ｘ」パーセントのセルであり、ここで、「Ｘ」は、０％から１００％の間の値である。いくつかの実施形態では、セル識別ユニット２３４４は、ＰＲＳ品質に関する、ＵＥから受信されたフィードバックに基づいて、ＯＴＤＯＡのネイバリングセルリストを作成または分類し得る。
【０２０４】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路、デバイス、モジュール、プロセッサ、メモリ、論理固体および／または個別デバイス、コンピュータプログラムまたは命令などを含み得る。
【０２０５】
図２４は、いくつかの実施形態による、例示的な方法の流れ図を示す。方法２４００は、ＵＥまたは無線デバイスによって実施され得る。ＵＥは、図１０に図示されている無線デバイスまたは図１１に示されているユーザ機器であり得る。方法２４００は、ステップ２４１０において始まり、第１のネットワークノードから、第１のＰＲＳ構成における第１のＰＲＳを受信する。いくつかの実施形態では、第１のネットワークノードは、図１０に示されているネットワークノードであり得る。いくつかの実施形態では、第１のネットワークノードは、基地局またはロケーションノードであり得る。
【０２０６】
ステップ２４２０において、方法２４００は、第１のＰＲＳの１つまたは複数の第１の特性を決定するために、１つまたは複数の第１のＰＲＳに対して１つまたは複数の第１の測定を実施する。いくつかの実施形態では、第１の測定は、第１のＰＲＳについての到達時間の推定を含み得る。
【０２０７】
ステップ２４３０において、方法２４００は、第２のネットワークノードに、第１のＰＲＳの１つまたは複数の第１の特性に基づいて決定された第２のＰＲＳ構成を送出する。いくつかの実施形態では、第２のＰＲＳ構成は、第１のＰＲＳの第１の特性に基づいて決定された１つまたは複数の第２のＰＲＳを含み得る。いくつかの実施形態では、第２のネットワークノードは、基地局またはロケーションノードであり得る。いくつかの実施形態では、第２のネットワークノードは基地局であり、第１のネットワークノードはロケーションノードである。
【０２０８】
ステップ２４４０において、方法２４００は、さらに、第２のネットワークノードから、第１のＰＲＳの１つまたは複数の第１の特性と比べて、少なくとも１つの異なる信号特性を有する１つまたは複数の第３のＰＲＳを含む、第３のＰＲＳ構成を受信する。いくつかの実施形態では、第３のＰＲＳ構成は、ブロードキャスト、マルチキャスト、または専用シグナリングを介して、あるいはオンデマンドシステム情報ブロードキャストを介して受信され得る。
【０２０９】
ステップ２４５０において、方法２４００は、さらに、１つまたは複数の第３のＰＲＳに対して１つまたは複数の第２の測定を実施する。いくつかの実施形態では、第２の測定は、第３のＰＲＳについての到達時間の推定を含み得る。いくつかの実施形態では、方法２４００は、第２のＰＲＳ構成に基づいて１つまたは複数の第３のＰＲＳの１つまたは複数の第３の特性を決定し得る。
【０２１０】
いくつかの実施形態では、方法２４００は、さらに、第１のネットワークノードまたは第２のネットワークノードに、要求メッセージを送出する。要求メッセージは、送信における１つまたは複数のサブフレームのために構成される追加のＰＲＳについての要求を含み得る。方法２４００は、さらに、第１のネットワークノードまたは第２のネットワークノードから、第３のＰＲＳ構成に基づいて決定された追加のＰＲＳを受信する。いくつかの実施形態では、追加のＰＲＳは、他のＰＲＳとの重複を回避するように帯域幅を割り当てられ得る。
【０２１１】
図２５は、いくつかの実施形態による、別の例示的な方法の流れ図を示す。方法は、ネットワークノードによって実施され得る。ネットワークノードは、図１０に図示されているネットワークノード１０６０であり得る。方法２５００は、ステップ２５１０において始まり、ＵＥに、１つまたは複数の第１のＰＲＳを含む第１のＰＲＳ構成を送出する。いくつかの実施形態では、ネットワークノードは、基地局またはロケーションノードであり得る。
【０２１２】
ステップ２５２０において、方法２５００は、ＵＥから、１つまたは複数の第１のＰＲＳに基づいて決定された１つまたは複数の第２のＰＲＳを含む第２のＰＲＳ構成を受信する。いくつかの実施形態では、方法２５００は、ブロードキャスト、マルチキャスト、または専用シグナリングを介して、あるいはオンデマンドシステム情報ブロードキャストを介して第２のＰＲＳ構成を受信する。
【０２１３】
ステップ２５３０において、方法２５００は、第２のＰＲＳ構成における１つまたは複数の第２のＰＲＳに対して測定のセットを実施する。いくつかの実施形態では、方法２５００は、さらに、１つまたは複数の第２のＰＲＳ中の１つまたは複数の相互相関係数を受信し、測定のセットからのしきい値よりも高い１つまたは複数の相互相関係数に関係する１つまたは複数の測定を優先し得る。いくつかの実施形態では、方法２５００は、測定のセットからのしきい値よりも低い１つまたは複数の相互相関係数に関係する１つまたは複数の測定を廃棄し得る。
【０２１４】
いくつかの実施形態では、方法２５００は、第３のＰＲＳ構成のための帯域幅を割り当て得る。帯域幅は、干渉するネイバリングセルからの重複を最小限に抑えるように割り当てられ得る。別の実施形態では、帯域幅は、他のＰＲＳとの時間および周波数における重複を回避するように割り当てられ得る。
【０２１５】
いくつかの実施形態では、方法２５００は、しきい値よりも高い１つまたは複数の相互相関係数を有するセルを識別し、識別されたセルに帯域幅を割り当て得る。
【０２１６】
図２６は、いくつかの実施形態による、例示的なユーザ機器２６００の概略ブロック図である。ユーザ機器２６００は、無線ネットワーク、たとえば、図１０に示されている無線ネットワーク１００６において使用され得る。いくつかの実施形態では、ユーザ機器２６００は、図１０に示されている無線デバイス１０１０において実装され得る。いくつかの実施形態では、ユーザ機器２６００は、図１１に示されているＵＥ１１００であり得る。ユーザ機器２６００は、図２４および図２５を参照しながら説明された例示的な方法、ならびに、場合によっては、本明細書で開示される任意の他のプロセスまたは方法を行うように動作可能である。また、図２４および図２５における方法は、必ずしもユーザ機器２６００のみによって行われるとは限らないことを理解されたい。その方法の少なくともいくつかの動作は、１つまたは複数の他のエンティティによって実施され得る。
【０２１７】
ユーザ機器２６００は、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを備え得る。いくつかの実施形態では、ユーザ機器２６００の処理回路は、図１０に示されている処理回路１０２０であり得る。いくつかの実施形態では、ユーザ機器２６００の処理回路は、図１１に示されているプロセッサ１１０１であり得る。処理回路は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、図１１に示されているメモリ１１１５に記憶されたプログラムコードを実行するように構成され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、受信ユニット２６１０、実施ユニット２６２０、および送出ユニット２６３０、ならびにユーザ機器２６００の任意の他の好適なユニットに、送信機、プロセッサ、および受信機など、本開示の１つまたは複数の実施形態による、対応する機能を実施させるために使用され得る。
【０２１８】
図２６に示されているように、ユーザ機器２６００は、受信ユニット２６１０と、実施ユニット２６２０と、送出ユニット２６３０とを含む。受信ユニット２６１０は、第１のネットワークノードから、第１のＰＲＳ構成における第１のＰＲＳを受信するように構成され得る。いくつかの実施形態では、第１のネットワークノードは、図１０に示されているネットワークノードであり得る。いくつかの実施形態では、第１のネットワークノードは、基地局またはロケーションノードであり得る。
【０２１９】
実施ユニット２６２０は、第１のＰＲＳの１つまたは複数の第１の特性を決定するために、１つまたは複数の第１のＰＲＳに対して１つまたは複数の第１の測定を実施するように構成され得る。いくつかの実施形態では、第１の測定は、第１のＰＲＳについての到達時間の推定を含み得る。
【０２２０】
送出ユニット２６３０は、第２のネットワークノードに、第１のＰＲＳの１つまたは複数の第１の特性に基づいて決定された第２のＰＲＳ構成を送出するように構成され得る。いくつかの実施形態では、第２のＰＲＳ構成は、第１のＰＲＳの第１の特性に基づいて決定された１つまたは複数の第２のＰＲＳを含み得る。いくつかの実施形態では、第２のネットワークノードは、基地局またはロケーションノードであり得る。いくつかの実施形態では、第２のネットワークノードは基地局であり、第１のネットワークノードはロケーションノードである。
【０２２１】
受信ユニット２６１０は、第２のネットワークノードから、第１のＰＲＳの１つまたは複数の第１の特性と比べて、少なくとも１つの異なる信号特性を有する１つまたは複数の第３のＰＲＳを含む、第３のＰＲＳ構成を受信するようにさらに構成され得る。いくつかの実施形態では、受信ユニット２６１０は、ブロードキャスト、マルチキャスト、または専用シグナリングを介して、あるいはオンデマンドシステム情報ブロードキャストを介して第３のＰＲＳ構成を受信し得る。
【０２２２】
実施ユニット２６２０は、１つまたは複数の第３のＰＲＳに対して１つまたは複数の第２の測定を実施するようにさらに構成され得る。いくつかの実施形態では、第２の測定は、第３のＰＲＳについての到達時間の推定を含み得る。いくつかの実施形態では、実施ユニット２６２０は、第２のＰＲＳ構成に基づいて１つまたは複数の第３のＰＲＳの１つまたは複数の第３の特性を決定し得る。
【０２２３】
いくつかの実施形態では、送出ユニット２６３０は、第１のネットワークノードまたは第２のネットワークノードに、要求メッセージを送出するようにさらに構成され得る。要求メッセージは、送信における１つまたは複数のサブフレームのために構成される追加のＰＲＳについての要求を含み得る。受信ユニット２６１０は、第１のネットワークノードまたは第２のネットワークノードから、第３のＰＲＳ構成に基づいて決定された追加のＰＲＳを受信するようにさらに構成され得る。いくつかの実施形態では、追加のＰＲＳは、他のＰＲＳとの重複を回避するように帯域幅を割り当てられ得る。
【０２２４】
図２７は、いくつかの実施形態による、無線ネットワークにおける例示的なネットワークノード２７００の概略ブロック図である。いくつかの実施形態では、無線ネットワークは、図１０に示されている無線ネットワーク１００６であり得る。ネットワークノードは、図１０に示されているネットワークノード１０６０であり得る。ネットワークノード２７００は、図２４および図２５を参照しながら説明された例示的な方法、ならびに、場合によっては、本明細書で開示される任意の他のプロセスまたは方法を行うように動作可能である。また、図２４および図２５における方法は、必ずしもネットワークノード２７００のみによって行われるとは限らないことを理解されたい。その方法の少なくともいくつかの動作は、１つまたは複数の他のエンティティによって実施され得る。
【０２２５】
ネットワークノード２７００は、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを備え得る。いくつかの実施形態では、ネットワークノード２７００の処理回路は、図１０に示されている処理回路１０７０であり得る。処理回路は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように構成され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、送出ユニット２７１０、受信ユニット２７２０、実施ユニット２７３０、およびネットワークノード２７００の任意の他の好適なユニットに、プロセッサ、受信機、および送信機など、本開示の１つまたは複数の実施形態による、対応する機能を実施させるために使用され得る。
【０２２６】
図２７に示されているように、ネットワークノード２７００は、送出ユニット２７１０と、受信ユニット２７２０と、実施ユニット２７３０とを含む。送出ユニット２７１０は、ＵＥに、１つまたは複数の第１のＰＲＳを含む第１のＰＲＳ構成を送出するように構成され得る。いくつかの実施形態では、ネットワークノード２７００は、基地局またはロケーションノードであり得る。
【０２２７】
受信ユニット２７２０は、ＵＥから、１つまたは複数の第１のＰＲＳに基づいて決定された１つまたは複数の第２のＰＲＳを含む第２のＰＲＳ構成を受信するように構成され得る。いくつかの実施形態では、受信ユニット２７２０は、ブロードキャスト、マルチキャスト、または専用シグナリングを介して、あるいはオンデマンドシステム情報ブロードキャストを介して第２のＰＲＳ構成を受信し得る。
【０２２８】
実施ユニット２７３０は、第２のＰＲＳ構成における１つまたは複数の第２のＰＲＳに対して測定のセットを実施するように構成され得る。いくつかの実施形態では、受信ユニット２７２０は、１つまたは複数の第２のＰＲＳ中の１つまたは複数の相互相関係数を受信し得、実施ユニット２７３０は、測定のセットからのしきい値よりも高い１つまたは複数の相互相関係数に関係する１つまたは複数の測定を優先し、測定のセットからのしきい値よりも低い１つまたは複数の相互相関係数に関係する１つまたは複数の測定を廃棄し得る。
【０２２９】
いくつかの実施形態では、実施ユニット２７３０は、第３のＰＲＳ構成のための帯域幅を割り当てるようにさらに構成され得る。帯域幅は、干渉するネイバリングセルからの重複を最小限に抑えるように割り当てられ得る。別の実施形態では、帯域幅は、他のＰＲＳとの時間および周波数における重複を回避するように割り当てられ得る。
【０２３０】
いくつかの実施形態では、実施ユニット２７３０は、しきい値よりも高い１つまたは複数の相互相関係数を有するセルを識別し、識別されたセルに帯域幅を割り当てるようにさらに構成され得る。
【０２３１】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路、ならびに、デジタル信号プロセッサ（ＤＳＰ）、専用デジタル論理などを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように構成され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路は、それぞれの機能ユニットに、本開示の１つまたは複数の実施形態による、対応する機能を実施させるために使用され得る。
【０２３２】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路、デバイス、モジュール、プロセッサ、受信機、送信機、メモリ、論理固体および／または個別デバイス、コンピュータプログラムまたは命令などを含み得る。
【０２３３】
様々な実施形態によれば、本明細書の特徴の利点は、ネットワークノードが、干渉を回避するために、ネイバリングセル中の各ＵＥのための動的構成を提供し得るように、ネットワークノードが、常に、ＵＥから受信された最新のＰＲＳに対して測定を実施し得ることである。本開示の特定の実施形態は、各ＵＥのためのユーザ固有、ビーム固有ＰＲＳ構成を効率的に提供するために、ロケーションノードが基地局と協調することを可能にする。本出願の特定の実施形態は、ネットワーク性能を改善し、ネットワーク中のデバイスのためのエネルギーを節約するために、信号特性およびＵＥ移動に基づいてＵＥのためのＰＲＳ構成を提供する。
【０２３４】
図におけるプロセスが本発明のいくつかの実施形態によって実施される動作の特定の順序を示し得るが、そのような順序は例示的である（たとえば、代替実施形態が、異なる順序で動作を実施する、いくつかの動作を組み合わせる、いくつかの動作を重ね合わせる、などを行い得る）ことを理解されたい。
【０２３５】
本発明はいくつかの実施形態に関して説明されたが、当業者は、本発明が、説明された実施形態に限定されず、添付の特許請求の範囲の趣旨および範囲内で修正および改変を加えて実施され得ることを認識されよう。したがって、説明は、限定ではなく、例示的と考えられるべきである。
【図１】
2021533615.tif 000004
【図２】
2021533615.tif 000005
【図３】
2021533615.tif 000006
【図４】
2021533615.tif 000007
【図５】
2021533615.tif 000008
【図６】
2021533615.tif 000009
【図７】
2021533615.tif 000010
【図８】
2021533615.tif 000011
【図９】
2021533615.tif 000012
【図１０】
2021533615.tif 000013
【図１１】
2021533615.tif 000014
【図１２】
2021533615.tif 000015
【図１３】
2021533615.tif 000016
【図１４】
2021533615.tif 000017
【図１５】
2021533615.tif 000018
【図１６】
2021533615.tif 000019
【図１７】
2021533615.tif 000020
【図１８】
2021533615.tif 000021
【図１９】
2021533615.tif 000022
【図２０】
2021533615.tif 000023
【図２１】
2021533615.tif 000024
【図２２】
2021533615.tif 000025
【図２３】
2021533615.tif 000026
【図２４】
2021533615.tif 000027
【図２５】
2021533615.tif 000028
【図２６】
2021533615.tif 000029
【図２７】
2021533615.tif 000030
【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
測位参照信号構成のための方法（２４００）であって、
ネットワークノードから、第１の測位参照信号（ＰＲＳ）構成における１つまたは複数の第１のＰＲＳを受信すること（２４１０）と、
前記１つまたは複数の第１のＰＲＳの１つまたは複数の第１の特性を決定するために、前記１つまたは複数の第１のＰＲＳに対して１つまたは複数の第１の測定を実施すること（２４２０）と、
前記ネットワークノードに、前記１つまたは複数の第１のＰＲＳの前記１つまたは複数の第１の特性に基づいて決定された１つまたは複数の第２のＰＲＳを含む第２のＰＲＳ構成を送出すること（２４３０）と、
前記ネットワークノードから、第３のＰＲＳ構成を受信すること（２４４０）であって、前記第３のＰＲＳ構成が、前記第１のＰＲＳの前記１つまたは複数の第１の特性と比べて、少なくとも１つの異なる信号特性を有する１つまたは複数の第３のＰＲＳを含む、第３のＰＲＳ構成を受信すること（２４４０）と、
前記１つまたは複数の第３のＰＲＳに対して１つまたは複数の第２の測定を実施すること（２４５０）と
を含む、方法（２４００）。
【請求項２】
前記１つまたは複数の第１の測定と前記１つまたは複数の第２の測定とが、前記１つまたは複数の第１のＰＲＳと前記１つまたは複数の第３のＰＲＳとについての１つまたは複数の到達時間の推定を含む、請求項１に記載の方法（２４００）。
【請求項３】
前記第３のＰＲＳ構成が、ブロードキャスト、マルチキャスト、または専用シグナリングを介して、あるいはオンデマンドシステム情報ブロードキャストを介して受信される、請求項１または２に記載の方法（２４００）。
【請求項４】
前記第２のＰＲＳ構成に基づいて前記１つまたは複数の第３のＰＲＳの１つまたは複数の第３の特性を決定することをさらに含む、請求項１から３のいずれか一項に記載の方法（２４００）。
【請求項５】
前記ネットワークノードに要求メッセージを送出することであって、前記要求メッセージが、送信における１つまたは複数のサブフレームのために構成される追加のＰＲＳについての要求を含む、要求メッセージを送出することと、
前記ネットワークノードから、前記第３のＰＲＳ構成に基づいて決定された前記追加のＰＲＳを受信することと
をさらに含む、請求項１から４のいずれか一項に記載の方法（２４００）。
【請求項６】
前記追加のＰＲＳが、他のＰＲＳとの重複を回避するように帯域幅を割り当てられる、請求項５に記載の方法（２４００）。
【請求項７】
測位参照信号構成のための方法（２５００）であって、
ユーザ機器（ＵＥ）に、１つまたは複数の第１の測位参照信号（ＰＲＳ）を含む１つまたは複数の第１のＰＲＳ構成を送出すること（２５１０）と、
前記ＵＥから、前記第１のＰＲＳ構成の前記１つまたは複数の第１のＰＲＳに基づいて決定された１つまたは複数の第２のＰＲＳを含む第２のＰＲＳ構成を受信すること（２５２０）と、
前記第２のＰＲＳ構成の前記１つまたは複数の第２のＰＲＳに対して測定のセットを実施すること（２５３０）と、
前記ＵＥに、第３のＰＲＳ構成を送出すること（２５４０）であって、前記第３のＰＲＳ構成が、前記第１のＰＲＳ構成の前記１つまたは複数の第１のＰＲＳと比べて、異なる信号特性を有する少なくとも１つのＰＲＳを含む、第３のＰＲＳ構成を送出すること（２５４０）と
を含む、方法（２５００）。
【請求項８】
前記実施するステップが、
前記１つまたは複数の第２のＰＲＳ中の１つまたは複数の相互相関係数を受信することと、
測定の前記セットからのしきい値よりも高い１つまたは複数の相互相関係数に関係する１つまたは複数の測定を優先することと、
測定の前記セットからの前記しきい値よりも低い１つまたは複数の相互相関係数に関係する１つまたは複数の測定を廃棄することと
を含む、請求項７に記載の方法（２５００）。
【請求項９】
前記実施するステップが、前記第３のＰＲＳ構成のための帯域幅を割り当てることを含む、請求項７または８に記載の方法（２５００）。
【請求項１０】
前記帯域幅が、干渉するネイバリングセルからの重複を最小限に抑えるように割り当てられる、請求項９に記載の方法（２５００）。
【請求項１１】
前記帯域幅が、他のＰＲＳとの時間および周波数における重複を回避するように割り当てられる、請求項９に記載の方法（２５００）。
【請求項１２】
前記第２のＰＲＳ構成が、ブロードキャスト、マルチキャスト、または専用シグナリングを介して、あるいはオンデマンドシステム情報ブロードキャストを介して受信される、請求項９から１１のいずれか一項に記載の方法（２５００）。
【請求項１３】
前記実施するステップが、
しきい値よりも高い１つまたは複数の相互相関係数を有するセルを識別することと、
前記識別されたセルに帯域幅を割り当てることと
を含む、請求項９から１２のいずれか一項に記載の方法（２５００）。
【請求項１４】
測位参照信号構成のためのユーザ機器（１１００）であって、
少なくとも１つの処理回路（１１０１）と、
プロセッサ実行可能命令を記憶する、少なくとも１つのストレージ（１１１５）であって、前記プロセッサ実行可能命令は、前記処理回路によって実行されたとき、ユーザ機器（１１００）に、
ネットワークノードから、第１の測位参照信号（ＰＲＳ）構成における１つまたは複数の第１のＰＲＳを受信すること（２４１０）と、
前記１つまたは複数の第１のＰＲＳの１つまたは複数の第１の特性を決定するために、前記１つまたは複数の第１のＰＲＳに対して１つまたは複数の第１の測定を実施すること（２４２０）と、
前記ネットワークノードに、前記１つまたは複数の第１のＰＲＳの前記１つまたは複数の第１の特性に基づいて決定された１つまたは複数の第２のＰＲＳを含む第２のＰＲＳ構成を送出すること（２４３０）と、
前記ネットワークノードから、第３のＰＲＳ構成を受信すること（２４４０）であって、前記第３のＰＲＳ構成が、前記第１のＰＲＳの前記１つまたは複数の第１の特性と比べて、少なくとも１つの異なる信号特性を有する１つまたは複数の第３のＰＲＳを含む、第３のＰＲＳ構成を受信すること（２４４０）と、
前記１つまたは複数の第３のＰＲＳに対して１つまたは複数の第２の測定を実施すること（２４５０）と
を行わせる、少なくとも１つのストレージ（１１１５）と
を備える、ユーザ機器（１１００）。
【請求項１５】
前記１つまたは複数の第１の測定と前記１つまたは複数の第２の測定とが、前記１つまたは複数の第１のＰＲＳと前記１つまたは複数の第３のＰＲＳとについての１つまたは複数の到達時間の推定を含む、請求項１４に記載のユーザ機器（１１００）。
【請求項１６】
前記第３のＰＲＳ構成が、ブロードキャスト、マルチキャスト、または専用シグナリングを介して、あるいはオンデマンドシステム情報ブロードキャストを介して受信される、請求項１４または１５に記載のユーザ機器（１１００）。
【請求項１７】
前記命令が、前記ＵＥ（１１００）に、前記第２のＰＲＳ構成に基づいて前記１つまたは複数の第３のＰＲＳの１つまたは複数の第３の特性を決定することをさらに行わせる、請求項１４から１６のいずれか一項に記載のユーザ機器（１１００）。
【請求項１８】
前記命令は、前記ＵＥ（１１００）に、
前記ネットワークノードに要求メッセージを送出することであって、前記要求メッセージが、送信における１つまたは複数のサブフレームのために構成される追加のＰＲＳについての要求を含む、要求メッセージを送出することと、
前記ネットワークノードから、前記第３のＰＲＳ構成に基づいて決定された前記追加のＰＲＳを受信することと
をさらに行わせる、請求項１４から１７のいずれか一項に記載のユーザ機器（１１００）。
【請求項１９】
前記追加のＰＲＳが、他のＰＲＳとの重複を回避するように帯域幅を割り当てられる、請求項１８に記載のユーザ機器（１１００）。
【請求項２０】
測位参照信号構成のためのネットワークノード（１０６０）であって、
少なくとも１つの処理回路（１０７０）と、
プロセッサ実行可能命令を記憶する、少なくとも１つのストレージであって、前記プロセッサ実行可能命令は、前記処理回路によって実行されたとき、ネットワークノード（１０６０）に、
ユーザ機器（ＵＥ）に、１つまたは複数の第１の測位参照信号（ＰＲＳ）を含む１つまたは複数の第１のＰＲＳ構成を送出すること（２５１０）と、
前記ＵＥから、前記第１のＰＲＳ構成の前記第１のＰＲＳに基づいて決定された１つまたは複数の第２のＰＲＳを含む第２のＰＲＳ構成を受信すること（２５２０）と、
前記第２のＰＲＳ構成の前記１つまたは複数の第２のＰＲＳに対して測定のセットを実施すること（２５３０）と、
前記ＵＥに、第３のＰＲＳ構成を送出すること（２５４０）であって、前記第３のＰＲＳ構成が、前記第１のＰＲＳ構成の前記１つまたは複数の第１のＰＲＳと比べて、異なる信号特性を有する少なくとも１つのＰＲＳを含む、第３のＰＲＳ構成を送出すること（２５４０）と
を行わせる、少なくとも１つのストレージと
を備える、ネットワークノード（１０６０）。
【請求項２１】
前記実施するステップが、
前記１つまたは複数の第２のＰＲＳ中の１つまたは複数の相互相関係数を受信することと、
測定の前記セットからのしきい値よりも高い１つまたは複数の相互相関係数に関係する１つまたは複数の測定を優先することと、
測定の前記セットからの前記しきい値よりも低い１つまたは複数の相互相関係数に関係する１つまたは複数の測定を廃棄することと
を含む、請求項２０に記載のネットワークノード（１０６０）。
【請求項２２】
前記実施するステップが、前記第３のＰＲＳ構成のための帯域幅を割り当てることを含む、請求項２０または２１に記載のネットワークノード（１０６０）。
【請求項２３】
前記帯域幅が、干渉するネイバリングセルからの重複を最小限に抑えるように割り当てられる、請求項２２に記載のネットワークノード（１０６０）。
【請求項２４】
前記帯域幅が、他のＰＲＳとの時間および周波数における重複を回避するように割り当てられる、請求項２２に記載のネットワークノード（１０６０）。
【請求項２５】
前記第２のＰＲＳ構成が、ブロードキャスト、マルチキャスト、または専用シグナリングを介して、あるいはオンデマンドシステム情報ブロードキャストを介して受信される、請求項２０から２４のいずれか一項に記載のネットワークノード（１０６０）。
【請求項２６】
前記実施するステップが、
しきい値よりも高い１つまたは複数の相互相関係数を有するセルを識別することと、
前記識別されたセルに帯域幅を割り当てることと
を含む、請求項２０から２５のいずれか一項に記載のネットワークノード（１０６０）。
【国際調査報告】
2021533615.tif 000031
2021533615.tif 000032
2021533615.tif 000033
2021533615.tif 000034